(57)【要約】【課題】遊技の興趣性を向上させた遊技機を提供することを目的とする。【解決手段】  通常状態と確変状態とのいずれかの状態とするかを抽選する第２抽選部４１０と、確変状態に当選する当選確率がそれぞれ異なるように設けられた複数個の確変状態用判定テーブル４１４のうち、いずれか一つを用いて第２抽選部４１０で抽選を行うように指示する確変確率指示部４２４とを備えているので、確変確率指示部４２４の指示により、第２抽選部４１０で確変状態に当選する当選確率が替わり、例えば、確変状態に当選する当選確率が高くなった場合は、結果として特定遊技状態が発生する確率が高くなる確変状態となることが多くなり、遊技者が得ることができる利益が多くなる。つまり、第２抽選部４１０で確変状態に当選する当選確率を替えることにより、遊技者が得ることができる利益が変わることになる。【選択図】図２０
2010279820.tif 000002
【特許請求の範囲】
【請求項１】
遊技球の入球または通過を検出する遊技球検出手段と、
前記遊技球検出手段で遊技球が検出されたことに基づいて、多くの賞球を得ることができる特定遊技状態が発生するか否かを抽選する第１抽選手段と、
前記遊技球検出手段で遊技球が検出されたことに基づいて、所定の確率で特定遊技状態が発生する通常状態と、当該通常状態よりも特定遊技状態が発生する確率が高い確変状態とのいずれかの状態とするかを抽選する第２抽選手段と、
前記第２抽選手段での抽選についての当落を判定するために用いられるものであって、確変状態に当選する当選確率がそれぞれ異なるように設けられた複数個の確変状態用判定テーブルと、
前記複数個の確変状態用判定テーブルのうち、いずれか一つを用いて前記第２抽選手段で抽選を行うように指示する確変確率指示手段と
を備えていることを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばパチンコ機がある。このパチンコ機には、例えば、遊技盤に設けられた始動口に遊技球が入賞（入球）することに基づいて、遊技者にとって有利な状態となるか否かの抽選を行うものがある。具体的には、この抽選結果に基づいて、遊技者が多くの賞球を獲得できる大当り状態となるものがあり、さらに、大当たり状態の終了後に、次の大当たり状態となる確率が高くなる確率変動（確変）状態となるものがある（例えば、特許文献１参照）。
【先行技術文献】
【特許文献】
【０００３】
【特許文献１】特開平９−７００号公報（第７頁）
【発明の概要】
【発明が解決しようとする課題】
【０００４】
しかしながら、このような構成を有する従来例の場合には、次のような問題がある。
すなわち、従来のパチンコ機では、大当たり状態の終了後の状態として、次の大当たり状態になる確率が高くなる確率変動（確変）状態と次の大当たり状態となる確率が確変状態よりも低い非確変状態とがある。ここで、抽選結果が確変状態である場合、遊技者は単に非確変状態よりも次の大当たり状態となる確率が高いことについて、興趣を感じることができるが、確変状態に関してこれ以上遊技の興趣性を向上させることができないという問題がある。
【０００５】
本発明は、このような事情に鑑みてなされたものであって、遊技の興趣性を向上させた遊技機を提供することを目的とする。
【課題を解決するための手段】
【０００６】
この発明は、このような目的を達成するために、次のような構成をとる。
すなわち、請求項１に記載の発明は、  
遊技球の入球または通過を検出する遊技球検出手段と、
前記遊技球検出手段で遊技球が検出されたことに基づいて、多くの賞球を得ることができる特定遊技状態が発生するか否かを抽選する第１抽選手段と、
前記遊技球検出手段で遊技球が検出されたことに基づいて、所定の確率で特定遊技状態が発生する通常状態と、当該通常状態よりも特定遊技状態が発生する確率が高い確変状態とのいずれかの状態とするかを抽選する第２抽選手段と、
前記第２抽選手段での抽選についての当落を判定するために用いられるものであって、確変状態に当選する当選確率がそれぞれ異なるように設けられた複数個の確変状態用判定テーブルと、
前記複数個の確変状態用判定テーブルのうち、いずれか一つを用いて前記第２抽選手段で抽選を行うように指示する確変確率指示手段と
を備えていることを特徴とするものである。
【０００７】
［作用・効果］請求項１に記載の発明によれば、遊技球検出手段は、遊技球の入球または通過を検出する。第１抽選手段は、遊技球検出手段で遊技球が検出されたことに基づいて、多くの賞球を得ることができる特定遊技状態が発生するか否かを抽選する。第２抽選手段は、遊技球検出手段で遊技球が検出されたことに基づいて、所定の確率で特定遊技状態が発生する通常状態と、通常状態よりも特定遊技状態が発生する確率が高い確変状態とのいずれかの状態とするかを抽選する。複数個の判定テーブルは、第２抽選手段での抽選についての当落を判定するために用いられるものであって、確変状態に当選する当選確率がそれぞれ異なるように設けられたものである。確変確率指示手段は、複数個の確変状態用判定テーブルのうち、いずれか一つを用いて第２抽選手段で抽選を行うように指示する。したがって、確変確率指示手段の指示により、第２抽選手段で確変状態が当選する当選確率が替わり、例えば、確変状態に当選する当選確率が高くなった場合は、結果として特定遊技状態が発生する確率が高くなる確変状態となることが多くなり、遊技者が得ることができる利益が多くなる。つまり、第２抽選手段で確変状態が当選する当選確率を替えることにより、遊技者が得ることができる利益が変わることになる。その結果、遊技をより面白く感じることができ、遊技の興趣性を向上させることができる。
【発明の効果】
【０００８】
この発明に係る遊技機によれば、遊技球の入球または通過を検出する遊技球検出手段と、遊技球検出手段で遊技球が検出されたことに基づいて、多くの賞球を得ることができる特定遊技状態が発生するか否かを抽選する第１抽選手段と、遊技球検出手段で遊技球が検出されたことに基づいて、所定の確率で特定遊技状態が発生する通常状態と、当該通常状態よりも特定遊技状態が発生する確率が高い確変状態とのいずれかの状態とするかを抽選する第２抽選手段と、第２抽選手段での抽選についての当落を判定するために用いられるものであって、確変状態に当選する当選確率がそれぞれ異なるように設けられた複数個の確変状態用判定テーブルと、複数個の確変状態用判定テーブルのうち、いずれか一つを用いて第２抽選手段で抽選を行うように指示する確変確率指示手段とを備えているので、確変確率指示手段の指示により、第２抽選手段で確変状態が当選する当選確率が替わり、例えば、確変状態に当選する当選確率が高くなった場合は、結果として特定遊技状態が発生する確率が高くなる確変状態となることが多くなり、遊技者が得ることができる利益が多くなる。つまり、第２抽選手段で確変状態が当選する当選確率を替えることにより、遊技者が得ることができる利益が変わることになる。その結果、遊技をより面白く感じることができ、遊技の興趣性を向上させることができる。
【図面の簡単な説明】
【０００９】
【図１】本発明の実施例のパチンコ機の概略正面図である。
【図２】内枠及び前面枠セットを開放した状態のパチンコ機を示す斜視図である。
【図３】前面枠セットを開放した状態における内枠等を示す正面図である。
【図４】遊技盤の構成を示す正面図である。
【図５】パチンコ機の電気的構成を示すブロック図である。
【図６】第１図柄表示装置の表示内容を示す説明図である。
【図７】遊技制御に用いる各種カウンタの概要を示す説明図である。
【図８】主制御装置によるメイン処理を示すフローチャートである。
【図９】通常処理を示すフローチャートである。
【図１０】外れ図柄カウンタの更新処理を示すフローチャートである。
【図１１】第１図柄変動処理処理を示すフローチャートである。
【図１２】変動開始処理を示すフローチャートである。
【図１３】タイマ割込み処理を示すフローチャートである。
【図１４】始動入賞処理を示すフローチャートである。
【図１５】ＮＭＩ割込み処理を示すフローチャートである。
【図１６】払出制御装置によるメイン処理を示すフローチャートである。
【図１７】払出制御処理を示すフローチャートである。
【図１８】賞球制御処理を示すフローチャートである。
【図１９】貸球制御処理を示すフローチャートである。
【図２０】主制御装置と表示制御装置との要部構成を示すブロック図である。
【図２１】モード判定用テーブルを示す説明図である。
【図２２】モード移行テーブルを示す説明図である。
【図２３】通常用第１図柄，確変用第１図柄，特別確変用第１図柄を示す説明図である。
【図２４】（ａ）は、第２抽選部での確変状態当選確率を高めていない状態を示す説明図であり、（ｂ）は、第２抽選部での確変状態当選確率を高めた状態を示す説明図である。
【図２５】主制御装置と表示制御装置との要部構成を示すブロック図である。
【図２６】（ａ）は、大当たり停止表示された状態での通常用第１図柄，確変用第１図柄，特別確変用第１図柄を示す説明図であり、（ｂ）は、所定の通常用第１図柄を確変用第１図柄に変化させることを示す説明図である。
【発明を実施するための形態】
【００１０】
本明細書は、次のような遊技機に係る発明も開示している。
【００１１】
（１）  請求項１に記載の遊技機において、
前記第２抽選手段は、
前記通常状態と前記確変状態とのいずれかの状態を抽選するための第２乱数を発生させる第２乱数発生手段と、
前記遊技球検出手段で遊技球が検出されたことに基づいて、前記第２乱数発生手段で発生させた第２乱数のうちの一の第２乱数を記憶する第２乱数記憶手段と、
前記第２乱数記憶手段に記憶された第２乱数と前記確変確率指示手段の指示で選択された確変状態用判定テーブルとに基づいて前記通常状態と前記確変状態とのいずれかの状態とするのかを決定する第２決定手段と
を備えている
ことを特徴とする遊技機。
【００１２】
前記（１）に記載の発明によれば、第２乱数発生手段は、通常状態と確変状態とのいずれかの状態を抽選するための第２乱数を発生させる。第２乱数記憶手段は、遊技球検出手段で遊技球が検出されたことに基づいて、第２乱数発生手段で発生させた第２乱数のうちの一の第２乱数を記憶する。第２決定手段は、第２乱数記憶手段に記憶された第２乱数と確変確率指示手段の指示で選択された確変状態用判定テーブルとに基づいて通常状態と確変状態とのいずれかを決定する。したがって、第２決定手段は、第２乱数と確変確率指示手段の指示で選択された確変状態用判定テーブルとに基づいて通常状態と確変状態とのいずれかを決定することができるので、単に第２乱数の値だけで決定されるものでなく、確変確率指示手段の指示で選択された確変状態用判定テーブルに基づいた決定をすることができ、第２抽選手段は、通常状態と確変状態とのいずれかとすることを決定する。つまり、第２抽選手段を好適に実現できる。
【００１３】
（２）  請求項１に記載の遊技機、または、前記（１）に記載の遊技機において、
前記第１抽選手段は、当該第１抽選手段で特定遊技状態が発生する確率がそれぞれ異なるように設けられた複数個の特定遊技状態用判定テーブルを備え、
前記複数個の特定遊技状態用判定テーブルのうち、いずれか一つを用いて前記第１抽選手段で抽選を行うように指示する特定遊技状態確率指示手段を備えていることを特徴とする遊技機。
【００１４】
前記（２）に記載の発明によれば、第１抽選手段の複数個の特定遊技状態判定テーブルは、第１抽選手段で特定遊技状態が発生する確率がそれぞれ異なる。特定遊技状態確率指示手段は、複数個の特定遊技状態用判定テーブルのうち、いずれか一つを用いて第１抽選手段で抽選を行うように指示する。したがって、特定遊技状態確率指示手段の指示により、第１抽選手段で特定遊技状態が発生する確率が替わり、例えば、特定遊技状態が発生する確率が高くなった場合は、結果として特定遊技状態が発生することが多くなり、遊技者が得ることができる利益が多くなる。つまり、第１抽選手段で特定遊技状態が発生する確率を替えることにより、遊技者が得ることができる利益が変わることになる。その結果、遊技をより面白く感じることができ、遊技の興趣性を向上させることができる。
【００１５】
（３）  請求項１に記載の遊技機、または、前記（１）から（２）のいずれか一つに記載の遊技機において、
識別情報の変動表示を行う識別情報変動表示手段と、
前記遊技球検出手段で遊技球が検出されたことに基づいて、前記識別情報変動表示手段に表示される識別情報の変動表示時間を抽選する第３抽選手段と
を備え、
前記第３抽選手段は、
識別情報を表示する時間を抽選するための第３乱数を発生させる第３乱数発生手段と、
前記遊技球検出手段で遊技球が検出されたことに基づいて、前記第３乱数発生手段で発生させた第３乱数のうちの一の第３乱数を記憶する第３乱数記憶手段と、
前記第３乱数記憶手段に記憶された第３乱数に基づいて識別情報の変動表示時間を決定する第３決定手段と
を備えていることを特徴とする遊技機。
【００１６】
前記（３）に記載の発明によれば、識別情報変動表示手段は、識別情報の変動表示を行う。第３抽選手段は、遊技球検出手段で遊技球が検出されたことに基づいて、識別情報変動表示手段に表示される識別情報の変動表示時間を抽選する。さらに、第３抽選手段は、第３乱数発生手段と第３乱数記憶手段と第３決定手段とを備え、第３乱数発生手段は、識別情報を表示する時間を抽選するための第３乱数を発生させる。第３乱数記憶手段は、遊技球検出手段で遊技球が検出されたことに基づいて、第３乱数発生手段で発生させた第３乱数のうちの一の第３乱数を記憶する。第３決定手段は、第３乱数記憶手段に記憶された第３乱数に基づいて識別情報の変動表示時間を決定する。したがって、識別情報変動表示手段に変動表示される識別情報の変動表示時間を抽選することを好適に実現できる。
【００１７】
（４）  請求項１に記載の遊技機、または、前記（１）から（３）のいずれか一つに記載の遊技機において、
前記第１抽選手段での抽選結果である特定遊技状態が発生するか否かと、前記第２抽選手段の抽選結果である前記通常状態と前記確変状態とのいずれかの状態とするかを、発光手段の点灯または消灯により表示する発光表示手段を備えていることを特徴とする遊技機。
【００１８】
前記（４）に記載の発明によれば、発光表示手段は、第１抽選手段での抽選結果である特定遊技状態が発生するか否かと、第２抽選手段の抽選結果である通常状態と確変状態とのいずれかの状態とするかを発光手段の点灯または消灯により表示する。したがって、発光手段の点灯または消灯により、第１抽選手段での抽選結果および第２抽選手段の抽選結果を容易に認識することができる。
【００１９】
（５）  請求項１に記載の遊技機、または、前記（１）から（４）のいずれか一つに記載の遊技機において、
前記第１抽選手段での抽選が前記通常状態で行われ、かつ、前記第２抽選手段での抽選が所定の確率で確変状態当選となる状態である第１モードと、前記第１抽選手段での抽選が前記確変状態で行われ、かつ、前記第２抽選手段での抽選が前記第１モードよりも高い確率で確変状態当選となる状態である第２モードと、前記第１抽選手段での抽選が前記確変状態に行われ、かつ、前記第２抽選手段での抽選が前記第２モードよりも低い確率で確変状態当選となる状態である第３モードと、を判別するためのモード判定用テーブルと、
前記各モードのうちで現状のモードを特定するモード特定手段と、
前記第２抽選手段での抽選に用いる情報と、前記モード特定手段で特定された現状のモードとに基づいて、次のモードに移行するモード移行手段と、
を備えていることを特徴とする遊技機。
【００２０】
前記（５）に記載の発明によれば、モード判定用テーブルは、第１抽選手段での抽選が通常状態で行われ、かつ、第２抽選手段での抽選が所定の確率で確変状態当選となる状態である第１モードと、第１抽選手段での抽選が確変状態で行われ、かつ、第２抽選手段での抽選が第１モードよりも高い確率で確変状態当選となる状態である第２モードと、第１抽選手段での抽選が確変状態で行われ、かつ、第２抽選手段での抽選が第２モードよりも低い確率で確変状態当選となる状態である第３モードと、を判別するためのものである。モード特定手段は、各モードのうちで現状のモードを特定する。モード移行手段は、第２抽選手段での抽選に用いる情報と、モード特定手段で特定された現状のモードとに基づいて、次のモードに移行する。したがって、第２抽選手段での確変状態当選確率や第１抽選手段での当選確率が異なる各モードのうちの一のモードに移行でき、当該遊技機の状態についてのバリエーションをさらに増加させることができ、遊技の興趣性をさらに向上させることができる。
【００２１】
（６）  前記（４）または（５）に記載の遊技機において
前記モード移行手段は、
前記第２抽選手段での抽選に用いる情報と、前記モード特定手段で特定された現状のモードとから次のモードに移行するモードが決められたモード移行テーブルと、
前記第２抽選手段での抽選に用いる情報と、前記モード特定手段で特定された現状のモードと前記モード移行テーブルに基づいて、次に移行するモードが決定される移行モード決定手段と、
を備えていることを特徴とする遊技機。
【００２２】
前記（６）に記載の発明によれば、モード移行テーブルは、第２抽選手段での抽選に用いる情報と、モード特定手段で特定された現状のモードとから次のモードに移行するモードが決められている。移行モード決定手段は、第２抽選手段での抽選に用いる情報と、モード特定手段で特定された現状のモードとモード移行テーブルに基づいて、次に移行するモードが決定される。したがって、第２抽選手段での確変状態当選確率や第１抽選手段での当選確率がモード移行テーブルに基づいて、異なる各モードのうちの一のモードに移行でき、当該遊技機の状態についてのバリエーションをさらに増加させることができ、遊技の興趣性をさらに向上させることができる。
【００２３】
（７）  前記（５）または（６）に記載の遊技機において
前記第２抽選手段での抽選に用いる情報は、前記通常状態と前記確変状態とのいずれかの状態を抽選するための第２乱数であることを特徴とする遊技機。
【００２４】
前記（７）に記載の発明によれば、第２抽選手段での抽選に用いる情報は、通常状態と確変状態とのいずれかの状態を抽選するための第２乱数としている。モード移行手段は、第２抽選手段での第２乱数と、モード特定手段で特定された現状のモードとに基づいて、次のモードに移行する。したがって、第２抽選手段での確変状態当選確率や第１抽選手段での当選確率が異なる各モードのうちの一のモードに移行でき、当該遊技機の状態についてのバリエーションをさらに増加させることができ、遊技の興趣性をさらに向上させることができる。
【００２５】
（８）  請求項１に記載の遊技機、または、前記（１）から（７）のいずれか一つに記載の遊技機において、
識別情報の変動表示を行う識別情報変動表示手段と、
前記第２抽選手段での確変状態当選確率を高めた状態であることを、前記識別情報変動表示手段を用いて示唆する確変当選確率上昇示唆手段
を備えていることを特徴とする遊技機。
【００２６】
前記（８）に記載の発明によれば、識別情報変動表示手段は、識別情報の変動表示を行う。確変当選確率上昇示唆手段は、第２抽選手段での確変状態当選確率を高めた状態であることを、識別情報変動表示手段を用いて示唆する。したがって、遊技者は、第２抽選手段での確変状態当選確率を高めた状態であることが識別情報変動表示手段に示唆されたことを見ることで、第２抽選手段での確変状態当選確率を高めた状態であることを知ることができ、遊技者は、第２抽選に当選して特定遊技状態になるという期待感をもって第２抽選手段での抽選についての表示を見ることができ、遊技の興趣性を向上させることができる。
【００２７】
（９）  前記（８）に記載の遊技機において、
前記識別情報としては、通常用識別情報と確変用識別情報と特別確変用識別情報の３種類の識別情報を備えており、前記識別情報変動表示手段での変動表示結果が特別確変用識別情報で揃うと前記第２抽選手段での当選確率を高めた状態となり、前記識別情報変動表示手段での変動表示結果が通常用識別情報または確変用識別情報で揃うと前記第２抽選手段での当選確率を高めていない状態となり、
前記確変当選確率上昇示唆手段は、前記識別情報変動表示手段での変動表示結果が特別確変用識別情報で揃うと、前記識別情報変動表示手段での識別情報の変動表示演出中に表示される複数個の通常用識別情報のうちの所定の通常用識別情報を、確変用識別情報に変化させる識別情報変化表示制御手段を備えている
ことを特徴とする遊技機。
【００２８】
前記（９）に記載の発明によれば、識別情報としては、通常用識別情報と確変用識別情報と特別確変用識別情報の３種類の識別情報のものが挙げられる。識別情報変動表示手段での変動表示結果が特別確変用識別情報で揃うと第２抽選手段での当選確率を高めた状態となり、識別情報変動表示手段での変動表示結果が通常用識別情報または確変用識別情報で揃うと第２抽選手段での当選確率を高めていない状態となる。識別情報変化表示制御手段は、識別情報変動表示手段での変動表示結果が特別確変用識別情報で揃うと、識別情報変動表示手段での識別情報の変動表示演出中に表示される複数個の通常用識別情報のうちの所定の通常用識別情報を、確変用識別情報に変化させる。したがって、識別情報変動表示手段での変動表示結果が特別確変用識別情報で揃うと、遊技者は、通常用識別情報の表示態様が確変用識別情報の表示態様に変化している、つまり、確変用識別情報が増加していること見ることで、第２抽選での当選確率を高めた状態であることを知ることができ、しかも確変用識別情報の増加によって確変用識別情報で揃うことをより期待でき、面白味を感じることができ、遊技者は、第２抽選に当選して特定遊技状態になるという期待感をもって第２抽選手段での抽選の表示を見ることができ、遊技の興趣性を向上させることができる。
【００２９】
（１０）  前記（９）に記載の遊技機において、
前記識別情報変化表示制御手段は、
前記識別情報変動表示手段で所定の識別情報で揃った場合の変動表示結果時にその画面内に表示されている通常用識別情報を特定する特定手段と、
前記特定手段で特定された通常用識別情報の中から所定の通常用識別情報を選択する選択手段と、
前記選択手段で選択された通常用識別情報をそれが表示されている状態で確変用識別情報に変化させる表示中変化表示制御手段と、
を備えていることを特徴とする遊技機。
【００３０】
前記（１０）に記載の発明によれば、特定手段は、識別情報変動表示手段で所定の識別情報で揃った場合の変動表示結果時にその画面内に表示されている通常用識別情報を特定する。選択手段は、特定手段で特定された通常用識別情報の中から所定の通常用識別情報を選択する。表示中変化表示制御手段は、選択手段で選択された通常用識別情報をそれが表示されている状態で確変用識別情報に変化させる。したがって、遊技者は、変動表示結果時の識別情報変動表示手段の画面を注目しているので、変動表示結果時の識別情報変動表示手段の画面内に表示されている所定の通常用識別情報が確変用識別情報に変化することを見逃すことなく見ることができる。つまり、どの通常用識別情報が確変用識別情報に変化したかを判り易く知らせることができる。
【００３１】
（１１）  前記（９）に記載の遊技機において、
前記確変当選確率上昇示唆手段は、前記識別情報変化表示制御手段で確変用識別情報に変化されたものも含めて、確変用識別情報を一覧表示する一覧表示制御手段を備えている
ことを特徴とする遊技機。
【００３２】
前記（１１）に記載の発明によれば、一覧表示制御手段は、識別情報変化表示制御手段で確変用識別情報に変化されたものも含めて、確変用識別情報を一覧表示する。したがって、遊技者は、現在の確変用識別情報が如何なるものかが一目でわかるし、確変用識別情報が増加していることがわかり易い。
【００３３】
本明細書はさらに次のような課題解決手段も開示している。
【００３４】
（課題）
主制御装置は、パチンコ機を統括制御するものであり、この主制御装置に接続される副（サブ）制御装置に各種のコマンドを送信している。副制御装置では、主制御装置からのコマンドを受信し、このコマンドに応じた動作を行うように表示手段や音声出力部などを制御している。例えば、主制御装置は、識別情報の変動表示に関する情報である、変動パターンコマンド、停止図柄コマンドを変動開始時に送信し、変動確定時に確定コマンドを送信している。主制御装置でのコマンド処理についての改善が望まれているが、これ以上改善できないという問題がある。このような課題を解決する手段として以下のような構成が挙げられる。
【００３５】
（１２）  遊技球の入球または通過を検出する遊技球検出手段と、
当該遊技機を主として制御するものであって、遊技者にとって有利な特定遊技状態の発生の有無を示すための識別情報の変動表示演出の起点となる第１制御手段と、
を備え、
前記第１制御手段は、
前記遊技球検出手段で遊技球が検出されたことに基づいて、多くの賞球を得ることができる特定遊技状態が発生するか否かを抽選する第１抽選手段と、
前記遊技球検出手段で遊技球が検出されたことに基づいて、所定の確率で特定遊技状態が発生する通常状態と、当該通常状態よりも特定遊技状態が発生する確率が高い確変状態とのいずれかの状態とするかを抽選する第２抽選手段と、
を備え、かつ、前記第１抽選手段と前記第２抽選手段とのそれぞれで抽選された結果に基づいて、それらの抽選に関する情報を単一の制御信号として出力するものであり、
前記第１制御手段からの単一の制御信号に基づいて、前記識別情報変動表示手段に表示すべき識別情報の変動表示演出を抽選決定し、この抽選決定された変動表示演出を当該識別情報変動表示手段に表示するよう制御する第２制御手段
を備えていることを特徴とする遊技機。
【００３６】
前記（１２）に記載の発明によれば、遊技球検出手段は遊技球の入球または通過を検出する。第１制御手段は、遊技機を主として制御するものであって、遊技者にとって有利な特定遊技状態の発生の有無を示すための識別情報の変動表示演出の起点となるものである。この第１制御手段は、第１抽選手段と第２抽選手段とを備えている。第１抽選手段は、遊技球検出手段で遊技球が検出されたことに基づいて、多くの賞球を得ることができる特定遊技状態が発生するか否かを抽選する。第２抽選手段は、遊技球検出手段で遊技球が検出されたことに基づいて、所定の確率で特定遊技状態が発生する通常状態と、当該通常状態よりも特定遊技状態が発生する確率が高い確変状態とのいずれかの状態とするかを抽選する。さらに、この第１制御手段は、第１抽選手段と第２抽選手段とのそれぞれで抽選された結果に基づいて、それらの抽選に関する情報を単一の制御信号として出力する。第２制御手段は、第１制御手段からの単一の制御信号に基づいて、識別情報変動表示手段に表示すべき識別情報の変動表示演出を抽選決定し、この抽選決定された変動表示演出を当該識別情報変動表示手段に表示するよう制御する。したがって、第１抽選手段と第２抽選手段とのそれぞれで抽選された結果を単一の制御信号として出力し、第１制御手段から出力する処理を減らすことができるので、第１抽選手段と第２抽選手段とのそれぞれで抽選された結果をそれぞれ別に出力する場合と比べて、第１制御手段でされる出力処理の負担を軽減させることができる。また、第１抽選手段と第２抽選手段とのそれぞれで抽選された結果をそれぞれ別に制御信号として出力する必要が無いので、制御信号を出力する毎に生じる可能性がある不具合（例えば、制御信号の未受信や制御信号の組み合わせ異常など）を低減させることができる。つまり、遊技機での処理負担を減らし、信頼性の高い制御処理を行う遊技機を提供することができる。
【００３７】
（１３）  前記（１２）に記載の遊技機において、
前記第１制御手段は、
前記遊技球検出手段で遊技球が検出されたことに基づいて、識別情報を変動表示する識別情報変動表示手段に表示される識別情報の変動表示時間を抽選する第３抽選手段と備え、かつ、前記第１抽選手段と前記第２抽選手段と前記第３抽選手段とのそれぞれで抽選された結果に基づいて、それらの抽選に関する情報を単一の制御信号として出力するものであり、
前記第１制御手段からの単一の制御信号に基づいて、前記識別情報変動表示手段に表示すべき識別情報の変動表示演出を抽選決定し、この抽選決定された変動表示演出を当該識別情報変動表示手段に表示するよう制御する第２制御手段
を備えていることを特徴とする遊技機。
【００３８】
前記（１３）に記載の発明によれば、第３抽選手段は、遊技球検出手段で遊技球が検出されたことに基づいて、識別情報を変動表示する識別情報変動表示手段に表示される識別情報の変動表示時間を抽選する。さらに、この第１制御手段は、第１抽選手段と第２抽選手段と第３抽選手段とのそれぞれで抽選された結果に基づいて、それらの抽選に関する情報を単一の制御信号として出力する。第２制御手段は、第１制御手段からの単一の制御信号に基づいて、識別情報変動表示手段に表示すべき識別情報の変動表示演出を抽選決定し、この抽選決定された変動表示演出を当該識別情報変動表示手段に表示するよう制御する。したがって、第１抽選手段と第２抽選手段と第３抽選手段とのそれぞれで抽選された結果を単一の制御信号として出力し、第１制御手段から出力する処理を減らすことができるので、第１抽選手段と第２抽選手段と第３抽選手段とのそれぞれで抽選された結果をそれぞれ別に出力する場合と比べて、第１制御手段でされる出力処理の負担を軽減させることができる。また、第１抽選手段と第２抽選手段と第３抽選手段とのそれぞれで抽選された結果をそれぞれ別に制御信号として出力する必要が無いので、制御信号を出力する毎に生じる可能性がある不具合（例えば、制御信号の未受信や制御信号の組み合わせ異常など）を低減させることができる。つまり、遊技機での処理負担を減らし、信頼性の高い制御処理を行う遊技機を提供することができる。
【００３９】
（１４）  請求項１に記載の遊技機、または、前記（１）から（１３）のいずれか一つに記載の遊技機において、
前記遊技機はパチンコ機であることを特徴とする遊技機。
【００４０】
前記（１４）に記載の遊技機によれば、遊技の興趣性を向上させることができるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００４１】
なお、本明細書中の「識別情報」とは、数字，英字，漢字などの文字を示す図柄、その他の図、模様、絵（キャラクタなどを含む）またはそれらを組み合わせたもの、またはその他のものであって、遊技者にとって有利な遊技状態（特別遊技状態など）への移行の成立・不成立を遊技者に視覚を通じて認識させるための表示情報のことである。
【００４２】
以下、パチンコ遊技機（以下、単に「パチンコ機」という）の各種の実施の形態を、図面に基づいて詳細に説明する。
【実施例１】
【００４３】
実施例１のパチンコ機を、図面に基づいて詳細に説明する。図１はパチンコ機１０の正面図であり、図２は、外枠１１に対して内枠１２と前面枠セット１４とを開放した状態を示す斜視図である。但し、図２では便宜上、下皿ユニット１３が内枠１２から取り外された状態を示している。
【００４４】
図１，２に示すように、パチンコ機１０は、当該パチンコ機１０の外殻を形成する外枠１１と、この外枠１１の一側部に開閉可能に支持された内枠１２とを備えている。
【００４５】
内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。
【００４６】
内枠１２の構成を図３も用いて詳細に説明する。図３は、パチンコ機１０から前面枠セット１４を取り外した状態を示す正面図である（但し、図３では便宜上、遊技盤３０面上の遊技領域内の構成を空白で示している）。
【００４７】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００４８】
下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、遊技球発射ハンドル１８とセットハンドルと発射モータなどで構成されている。なお、上述した遊技球発射装置３８が本発明における遊技球発射手段に相当する。音出力口２４は、下皿ユニット１３内あるいは背面に設けられたスピーカからの音を出力するための出力口である。
【００４９】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のもの）を差し入れるなどの不正行為を防止できるようになっている。
【００５０】
一方、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。
【００５１】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。また、窓穴２１には、２枚のガラス１３７（図２参照）が前後に所定間隔を隔てて取着されている。
【００５２】
次に、図４を用いて遊技盤３０の構成を説明する。図４は遊技盤３０の構成を示す正面図である。遊技盤３０は、一般入賞口３１、可変入賞装置３２、第１の始動口３３（例えば作動チャッカ）、第２の始動口３４（例えばスルーゲート）、可変表示装置ユニット３５等を備えている。これらの一般入賞口３１、可変入賞装置３２、第１の始動口３３（例えば作動チャッカ）、第２の始動口３４（例えばスルーゲート）、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球が入球し、当該入球が後述する検出スイッチ（入賞口スイッチ（図示省略）、カウントスイッチ（図示省略）、作動口スイッチ２２４等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００５３】
可変表示装置ユニット３５は、第１の始動口３３への入賞をトリガとして、識別情報としての第１図柄（例えば特別図柄）を変動表示する第１図柄表示装置４２と、第２の始動口３４の通過をトリガとして、第２図柄（例えば普通図柄）を変動表示する第２図柄表示装置４１とを備えている。
【００５４】
第２図柄表示装置４１は、第２図柄用の表示部４３と保留ランプ４４とを有し、遊技球が第２の始動口３４を通過する毎に例えば表示部４３による表示図柄（普通図柄）が変動し、その変動表示が所定図柄で停止した場合に第１の始動口３３が所定時間だけ作動状態となる（開放される）よう構成されている。遊技球が第２の始動口３４を通過した回数は最大４回まで保留され、その保留回数が保留ランプ４４にて点灯表示されるようになっている。なお、表示部４３は、複数のランプの点灯を切り換えることにより変動表示される構成の他、第１図柄表示装置４２（液晶表示装置）の一部で変動表示される構成等であっても良い。保留ランプ４４も同様に、第１図柄表示装置４２の一部で変動表示される構成等であっても良い。なお、上述した第２図柄表示装置４１が本発明における普通識別情報変動表示手段に相当する。
【００５５】
第１図柄表示装置４２は液晶表示装置として構成されており、後述する表示制御装置４５により表示内容が制御される。第１図柄表示装置４２には、例えば左、中及び右の３つの図柄列が表示される。各図柄列は複数の図柄によって構成されており、これら図柄が図柄列毎にスクロールされるようにして第１図柄表示装置４２に可変表示されるようになっている。なお本実施の形態では、第１図柄表示装置４２（液晶表示装置）は８インチサイズの大型の液晶ディスプレイを備える。可変表示装置ユニット３５には、第１図柄表示装置４２を囲むようにしてセンターフレーム４７が配設されている。なお、上述した第１図柄表示装置４２が本発明における識別情報変動表示手段に相当し、上述した表示制御装置４５が本発明における表示制御手段に相当する。
【００５６】
可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、第１の始動口３３に対し遊技球が入賞すると第１図柄表示装置４２で図柄が変動表示され、その停止後の確定図柄が予め設定した特定の図柄の組合せとなったことを必要条件に特別遊技状態が発生する。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数繰り返し開放される。遊技球が第１の始動口３３を通過した回数は最大４回まで保留され、その保留回数が保留ランプ４６にて点灯表示されるようになっている。なお、保留ランプ４６は、第１図柄表示装置４２の一部で変動表示される構成等であっても良い。
【００５７】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００５８】
内レール５１の先端部分（図４の左上部）には戻り球防止部材５３が取着されている。これにより、一旦、内レール５１及び外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００５９】
内レール５１及び外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部及び左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００６０】
次に、遊技領域について説明する。遊技領域は、レールユニット５０の内周部（内外レール）により略円形状に区画形成されており、特に本実施の形態では、遊技盤３０の盤面上に区画される遊技領域が従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００６１】
なお、可変表示装置ユニット３５の両側に位置する第２の始動口３４は、該第２の始動口３４を通過した遊技球が中央の方へ寄せられるような案内機構を有している。これにより、遊技領域が左右方向に拡張されている場合であっても、遊技球を中央の第１の始動口３３や可変入賞装置３２の方へと案内することができ、ひいては、遊技領域が拡張されることにより遊技球が入賞しにくくなることによる興趣の低下が抑制されるようになっている。さらには、遊技領域が左右方向に拡張されていることによって、風車３７、第２の始動口３４、複数の釘（遊技球を中央に誘導するための誘導釘）、他の役物を種々配設することができ、可変表示装置ユニット３５の左右両側の遊技領域での遊技球の挙動を一層面白くすることができるようになっている。また、遊技領域が上下方向にも拡張されていることから、さらに風車３７、第２の始動口３４、複数の釘、他の役物を種々配設することができ、遊技領域での上下方向の遊技球の挙動をより一層面白くすることができるようになっている。
【００６２】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００６３】
本パチンコ機１０の場合、遊技領域が従来よりも大幅に拡張されており、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置３８から発射された遊技球をより安定した状態で誘導レールに案内できるようにしている。この場合特に、発射レール６１を、遊技球発射装置３８の発射位置から遊技領域の中央位置（アウト口３６）を越える位置まで延びるよう形成している。
【００６４】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００６５】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される。これにより、ファール球の全てがファール球通路６３に確実に案内されるようになる。これにより、ファール球と次に発射される遊技球との干渉が抑制される。
【００６６】
なお、詳しい図面の開示は省略するが、遊技球発射装置３８には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置した。これにより、前面枠セット１４側の球出口から供給される遊技球が常に所定の発射位置にセットされ、安定した発射動作が実現できる。また、遊技球発射装置３８には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果がある。
【００６７】
なお、図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている。前面枠セット１４を内枠１２から開放した状態（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、前飾り枠が省略され前面枠セット１４に対して上皿１９が直接設けられる構成とした本パチンコ機１０において、前面枠セット１４の開放に際し払出通路内等の遊技球がパチンコ機１０外にこぼれ落ちてしまうといった不都合が防止できるようになっている。
【００６８】
樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００６９】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００７０】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パチンコ店内）用コンピュータへ出力されるようになっている。
【００７１】
前面枠セット１４にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００７２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７３】
また、遊技盤３０の裏面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２には、特定領域スイッチ（図示省略）とカウントスイッチ（図示省略）とが設けられている。特定領域スイッチ（図示省略）は、大当たり状態で可変入賞装置３２に入賞した遊技球が特定領域（大当たり状態継続を判定するための領域）に入ったことを判定するスイッチであり、カウントスイッチ（図示省略）は入賞球をカウントするスイッチである。また、第１の始動口３３に対応する位置には作動口スイッチ２２４が設けられ、第２の始動口３４に対応する位置にはゲートスイッチ（図示省略）が設けられている。なお、上述した作動口スイッチ２２４が本発明における入賞検出手段に相当する。
【００７４】
入賞口スイッチ（図示省略）及びゲートスイッチ（図示省略）は、図示しない電気配線を通じて盤面中継基板（図示省略）に接続され、さらにこの盤面中継基板（図示省略）が後述する主基板（主制御装置２６１）に接続されている。また、特定領域スイッチ（図示省略）及びカウントスイッチ（図示省略）は大入賞口中継基板（図示省略）に接続され、さらにこの大入賞口中継基板（図示省略）がやはり主基板に接続されている。これに対し、作動口スイッチ２２４は中継基板を介さずに直接主基板に接続されている。
【００７５】
その他図示は省略するが、可変入賞装置３２には、大入賞口を開放するための大入賞口ソレノイドと、入賞球を特定領域に導くための入賞球振分板ソレノイドが設けられ、第１の始動口３３には、電動役物を開放するための作動口ソレノイドが設けられている。
【００７６】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００７７】
次に、本パチンコ機１０の電気的構成について、図５を用いて説明する。図５は、本パチンコ機１０の電気的構成を示したブロック図である。本パチンコ機１０は、主制御装置２６１と、払出制御装置３１１と、発射制御装置３１２と、表示制御装置４５と、電源装置３１３などを備えている。以下に、これらの装置を個別に詳細に説明する。
【００７８】
主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備している。
【００７９】
また、音声ランプ制御装置２６２は、例えば主制御装置２６１（主基板）又は表示制御装置４５からの指示に従い音声やランプ表示の制御を司るＣＰＵや、その他ＲＯＭ、ＲＡＭ、各種ポート等を含む音声ランプ制御基板を具備している。音声ランプ制御装置２６２上には電源中継基板２６６が搭載されており、後述する電源基板より供給される電源がこの電源中継基板２６６を介して表示制御装置４５及び音声ランプ制御装置２６２に出力されるようになっている。
【００８０】
払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者による遊技球発射ハンドル１８の操作に従い発射モータ（図示省略）の制御が行われ、電源装置３１３の電源基板により、各種制御装置等で要する所定の電源電圧が生成され出力される。
【００８１】
また、電源装置３１３にはＲＡＭ消去スイッチ（図示省略）が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチを押しながら電源を投入することとしている。
【００８２】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００８３】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【００８４】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理（図１５参照）によって電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、図１５の停電処理（ＮＭＩ割込み処理）が即座に実行される。
【００８５】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路６４３、払出制御装置３１１、表示制御装置４５や、その他図示しないスイッチ群などが接続されている。
【００８６】
また、払出制御装置３１１は、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００８７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【００８８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ割込み処理（図１５参照）によって電源切断時に実行され、逆にバックアップエリア５１３ａに書き込まれた各値の復帰は、電源入時の復電処理において実行される。
【００８９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００９０】
発射制御装置３１２は、発射モータ（図示省略）による遊技球の発射を許可又は禁止するものであり、発射モータは、所定条件が整っている場合に駆動が許可される。具体的には、払出制御装置３１１から発射許可信号が出力されていること、遊技者が遊技球発射ハンドル１８をタッチしていることをセンサ信号により検出していること、発射を停止させるための発射停止スイッチが操作されていないことを条件に、発射モータが駆動され、遊技球発射ハンドル１８の操作量に応じた強度で遊技球が発射される。
【００９１】
表示制御装置４５は、第１図柄表示装置４２における第１図柄の変動表示と、第２図柄表示装置４１における第２図柄の変動表示とを制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力には主制御装置２６１の出力が接続され、入力ポート５２７の出力には、ＣＰＵ５２１、ＲＯＭ５２２、ワークＲＡＭ５２３、画像コントローラ５２６が接続されると共にバスライン５３０を介して一方の出力ポート５２８が接続されている。出力ポート５２８の出力には第２図柄表示装置４１（表示部４３）や、音声ランプ制御装置２６２が接続されている。また、画像コントローラ５２６にはバスライン５３１を介して出力ポート５２９が接続されており、その出力ポート５２９の出力には液晶表示装置である第１図柄表示装置４２が接続されている。
【００９２】
表示制御装置４５のＣＰＵ５２１は、主制御装置２６１から送信される表示コマンドに基づいて第１図柄表示装置４２及び第２図柄表示装置４１の表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００９３】
ビデオＲＡＭ５２４は、第１図柄表示装置４２に表示される表示データを記憶するためのメモリであり、このビデオＲＡＭ５２４の内容を書き替えることにより、第１図柄表示装置４２の表示内容が変更される。キャラクタＲＯＭ５２５は、第１図柄表示装置４２に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４２に表示させるものである。
【００９４】
また、電源装置３１３は、パチンコ機１０の各部に電力を供給するための電源部５４１と、停電等による電源遮断を監視する停電監視回路５４２と、ＲＡＭ消去スイッチ（図示省略）に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆部するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００９５】
停電監視回路５４２は、停電等の発生による電源断時に、主制御装置２６１のＣＰＵ５０１及び払出制御装置３１１のＣＰＵ５１１の各ＮＭｌ端子へ停電信号Ｓ１を出力するための回路である。停電監視回路５４２は、電源部５４１で交流５ボルトの電圧を監視し、この電圧が５ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（図１５のＮＭＩ割込み処理）を実行する。
【００９６】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９７】
ＲＡＭ消去スイッチ回路５４３は、ＲＡＭ消去スイッチ（図示省略）のスイッチ信号を取り込み、そのスイッチの状態に応じて主制御装置２６１のＲＡＭ５０３及び払出制御装置３１１のＲＡＭ５１３のバックアップデータをクリアするための回路である。ＲＡＭ消去スイッチが押下された際、ＲＡＭ消去スイッチ回路５４３は、ＲＡＭ消去信号Ｓ２を主制御装置２６１及び払出制御装置３１１に出力する。ＲＡＭ消去スイッチが押下された状態でパチンコ機１０の電源が投入されると（停電解消による電源入を含む）、主制御装置２６１及び払出制御装置３１１においてそれぞれのＲＡＭ５０３，６１３のデータがクリアされる。
【００９８】
ところで、第１図柄表示装置（液晶表示装置）４２には、図６に示すように、上・中・下の３つの図柄列Ｕ，Ｍ，Ｄが設定されており、図柄列Ｕ，Ｍ，Ｄ毎に左図柄、中図柄、右図柄の３個ずつの図柄（第１図柄：例えば特別図柄）が横方向に変動表示される。本実施の形態では、一連の図柄は、「０」〜「９」の数字を各々付した、海中生物などの絵柄からなる主図柄ＳＺと、貝型形状の絵図柄からなる副図柄ＦＺとにより構成されており、数字の昇順に主図柄ＳＺが表示されると共に各主図柄ＳＺの間に副図柄ＦＺが配されて一連の図柄列Ｕ，Ｍ，Ｄが構成されている。そして、周期性を持って主図柄ＳＺと副図柄ＦＺが右から左へと変動表示されるようになっている。
【００９９】
かかる場合、上図柄列Ｕおよび中図柄列Ｍにおいて、上記一連の図柄が昇順（すなわち、主図柄ＳＺの番号が増える順）に表示され、下図柄列Ｄにおいて、上記一連の図柄が降順（すなわち、主図柄ＳＺの番号が減る順）に表示される。そして、第１の始動口３３への入賞に基づいて一連の図柄列Ｕ，Ｍ，Ｄの変動表示が開始され、そして、上図柄列Ｕ→下図柄列Ｄ→中図柄列Ｍの順に変動表示が停止し、その停止時に第１図柄表示襲置４２上の５つの有効ライン、すなわち左ラインＬ１、中ラインＬ２、右ラインＬ３、右上がりラインＬ４、左上がりラインＬ５の何れかで主図柄ＳＺが大当たり図柄の組合せ（本実施の形態では、同一の主図柄ＳＺの組合せ）で揃えば大当たりとして特定遊技動画（特別遊技動画）が表示されるようになっている。
【０１００】
次に、上記の如く構成されたパチンコ機１０の動作について説明する。
【０１０１】
本実施の形態では、主制御装置２６１内のＣＰＵ５０１は、遊技に際し各種カウンタ情報を用いて第１図柄表示装置４２の抽選（大当たり抽選）や図柄表示の設定などを行うこととしており、具体的には、図７に示すように、第１図柄表示装置４２の大当たりの抽選に使用する大当たり乱数カウンタＣ１と、第１図柄表示装置４２の大当たり図柄の選択に使用する大当たり図柄カウンタＣ２と、第１図柄表示装置４２が外れ変動する際のリーチ抽選に使用するリーチ乱数カウンタＣ３と、大当たり乱数カウンタＣ１の初期値設定に使用する乱数初期値カウンタＣＩＮＩと、第１図柄表示装置４２の変動パターン選択に使用する変動種別カウンタＣＳ１，ＣＳ２と、左列、中列及び右列の各外れ図柄の設定に使用する左・中・右の各外れ図柄カウンタＣＬ，ＣＭ，ＣＲとを用いることとしている。上述した各カウンタは、ＣＰＵ５０１で実行されるプログラムにより構成されている。
【０１０２】
このうち、カウンタＣ１〜Ｃ３，ＣＩＮＩ，ＣＳ１，ＣＳ２は、その更新の都度、前回値に「１」が加算され（以下、「更新」という）、最大値に達した後「０」に戻るループカウンタとなっている。また、外れ図柄カウンタＣＬ，ＣＭ，ＣＲは、ＣＰＵ５０１内のＲレジスタ（リフレッシュレジスタ）を用いてレジスタ値が加算され、結果的に数値がランダムに変化する構成となっている。各カウンタは定期的に更新され、その更新値がＲＡＭ５０３の所定領域に設定されたカウンタ用バッファに適宜格納される。また、ＲＡＭ５０３には、１つの実行エリアと４つの保留エリア（保留第１〜第４エリア）とからなる保留球格納エリアが設けられており、これらの各エリアには、第１の始動口３３への遊技球の入賞履歴に合わせて、大当たり乱数カウンタＣ１、大当たり図柄カウンタＣ２及びリーチ乱数カウンタＣ３の各値が時系列的に格納されるようになっている。
【０１０３】
各カウンタについて詳しくは、大当たり乱数カウンタＣ１は、例えば「０」〜「６７６」の範囲内で順に「１」ずつ加算され、最大値（つまり「６７６」）に達した後「０」に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタであり（値＝０〜６７６）、タイマ割込み毎に１回更新されると共に通常処理の残余時間内で綴り返し更新される。大当たり乱数カウンタＣ１は定期的に（本実施の形態ではタイマ割込み毎に１回）更新され、遊技球が第１の始動口３３に入賞したタイミングでＲＡＭ５０３の保留球格納エリアに格納される。大当たりとなる乱数の値の数は、低確率時と高確率時とで２種類設定されており、低確率時に大当たりとなる乱数の値の個数は２で、その値は「３３７，６７３」であり、高確率時に大当たりとなる乱数の値の個数は１０で、その値は  「６７，１３１，１９９，２８９，３３７，４０１，４６３，５２３，６０１，６６１」である。なお、高確率時とは、予め定められた確率変動図柄によって大当たりになり付加価値としてその後の大当たり確率がアップした状態、いわゆる「確変」の時をいい、通常時（低確率時）とはそのような確変状態でない時をいう。
【０１０４】
大当たり図柄カウンタＣ２は、大当たりの際、第１図柄表示装置４２の変動停止時の図柄を決定するものであり、本実施の形態では、第１図柄表示装置４２において有効ラインが５ラインであり、特定図柄（主図柄）が９通り設定されていることから、基本的に４５個（０〜４４）のカウンタ値が用意されている。すなわち、大当たり図柄カウンタＣ２は、０〜４４の範囲内で順に１ずつ加算され、最大値（つまり４４）に達した後０に戻る構成となっている。大当たり図柄カウンタＣ２は定期的に（本実施の形態ではタイマ割込み毎に１回）更新され、遊技球が第１の始動口３３に入賞したタイミングでＲＡＭ５０３の保留球格納エリアに格納される。
【０１０５】
また、リーチ乱数カウンタＣ３は、例えば０〜２３８の範囲内で順に１ずつ加算され、最大値（つまり２３８）に達した後０に戻る構成となっている。本実施の形態では、リーチ乱数カウンタＣ３によって、リーチ発生した後最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしており、例えば、Ｃ３＝０，１が前後外れリーチに該当し、Ｃ３＝２〜２１が前後外れ以外リーチに該当し、Ｃ３＝２２〜２３８が完全外れに該当する。なお、リーチの抽通は、第１図柄表示装置４２の抽選確率の状態や変動開始時の作動保留球数等に応じて各々個別に設定されるものであっても良い。リーチ乱数カウンタＣ３は定期的に（本実施の形態ではタイマ割込み毎に１回）更新され、遊技球が第１の始動口３３に入賞したタイミングでＲＡＭ５０３の保留球格納エリアに格納される。
【０１０６】
また、２つの変動種別カウンタＣＳ１，ＣＳ２のうち、一方の変動種別カウンタＣＳ１は、例えば０〜１９８の範囲内で順に１ずつ加算され、最大値（つまり１９８）に達した後０に戻る構成となっており、他方の変動種別カウンタＣＳ２は、例えば０〜２４０の範囲内で順に１ずつ加算され、最大値（つまり２４０）に達した後０に戻る構成となっている。以下の説明では、ＣＳ１を「第１変動種別カウンタ」、ＣＳ２を「第２変動種別カウンタ」ともいう。第１変動種別カウンタＣＳ１によって、いわゆるノーマルリーチ、スーパーリーチ、プレミアムリーチ等、第１図柄のリーチ種別やその他大まかな図柄変動態様が決定され、第２変動種別カウンタＣＳ２によって、リーチ発生後に最終停止図柄（本実施の形態では中図柄）が停止するまでの経過時間（言い換えれば、変動図柄数）などより細かな図柄変動態様が決定される。従って、これらの変動種別カウンタＣＳ１，ＣＳ２を組み合わせることで、変動パターンの多種多様化を容易に実現できる。また、第１変動種別カウンタＣＳ１だけで図柄変動態様を決定したり、第１変動種別カウンタＣＳ１と停止図柄との組み合わせで同じく図柄変動態様を決定したりすることも可能である。
【０１０７】
変動種別カウンタＣＳ１，ＣＳ２は、後述する通常処理が１回実行される毎に１回更新され、当該通常処理内の残余時間内でも繰り返し更新される。そして、第１図柄表示装置４２による第１図柄の変動開始時における変動パターン決定に際してＣＳ１，ＣＳ２のバッファ値が取得される。
【０１０８】
左・中・右の各外れ図柄カウンタＣＬ，ＣＭ，ＣＲは、第１図柄表示装置４２の大当たり抽選が外れとなった時に左列第１図柄、中列第１図柄、右列第１図柄の停止図柄（外れ図柄）を決定するためのものであり、各列では主図柄及び副図柄の合わせて２０の第１図柄の何れかが表示されることから、各々に２０個（０〜１９）のカウンタ値が用意されている。外れ図柄カウンタＣＬにより左図柄列の上・中・下段の各図柄が決定され、外れ図柄カウンタＣＭにより中図柄列の上・中・下段の各図柄が決定され、外れ図柄カウンタＣＲにより右図柄列の上・中・下段の各図柄が決定される。
【０１０９】
本実施の形態では、ＣＰＵ５０１に内蔵のＲレジスタの数値を用いることにより各カウンタＣＬ，ＣＭ，ＣＲの値をランダムに更新する構成としている。すなわち、各外れ図柄カウンタＣＬ，ＣＭ，ＣＲの更新時には、前回値にＲレジスタの下位３ビットの値が加算され、その加算給果が最大値を超えた場合に２０減算されて今回値が決定される。各外れ図柄カウンタＣＬ，ＣＭ，ＣＲは更新時期が重ならないようにして通常処理内で更新され、それら外れ図柄カウンタＣＬ，ＣＭ，ＣＲの組み合わせが、ＲＡＭ５０３の前後外れリーチ図柄バッファ、前後外れ以外リーチ図柄バッファ及び完全外れ図柄バッファの何れかに格納される。そして、第１図柄の変動開始時における変動パターン決定に際し、リーチ乱数カウンタＣ３の値に応じて前後外れリーチ図柄バッファ、前後外れ以外リーチ図柄バッファ及び完全外れ図柄バッファの何れかのバッファ値が取得される。
【０１１０】
各カウンタの大きさや範囲は一例にすぎず任意に変更できる。但し、大当たり乱数カウンタＣ１、リーチ乱数カウンタＣ３、変動種別カウンタＣＳ１，ＣＳ２の大きさは何れも異なる素数とし、いかなる場合にも同期しない数値としておくのが望ましい。
【０１１１】
また図示は省略するが、第２図柄表示装置４１の抽選には第２図柄乱数カウンタＣ４が用いられる。第２図柄乱数カウンタＣ４は、例えば０〜２５０の範囲内で順に１ずつ加算され、最大値（つまり２５０）に達した後０に戻るループカウンタとして構成されている。第２図柄乱数カウンタＣ４は定期的に（本実施の形態ではタイマ割込み毎に１回）更新され、遊技球が左右何れかの第２の始動口３４を通過した時に取得される。当選することとなる乱数の値の数は１４９あり、その範囲は「５〜１５３」である。
【０１１２】
次いで、主制御装置２６１内のＣＰＵ５０１により実行される各制御処理を図８〜図１９のフローチャートを参照しながら説明する。かかるＣＰＵ５０１の処理としては大別して、電源投入に伴い起動されるメイン処理と、定期的に（本実施の形態では２ｍｓｅｃ周期で）起動されるタイマ割込み処理と、ＮＭｌ端子（ノンマスカブル端子）への停電信号の入力により起動されるＮＭＩ割込み処理とがあり、説明の便宜上ここでは、先ずタイマ割込み処理とＮＭＩ割込み処理とを説明し、その後でメイン処理を税明する。
【０１１３】
図１３は、タイマ割込み処理を示すフローチャートであり、本処理は主制御装置２６１のＣＰＵ５０１により例えば２ｍｓｅｃ毎に実行される。
【０１１４】
図１３において、先ずステップＳ６０１では、各種入賞スイッチの読み込み処理を実行する。すなわち、主制御装置２６１に接続されている各種スイッチ（但し、ＲＡＭ消去スイッチを除く）の状態を読み込むと共に、当該スイッチの状態を判定して検出情報（入賞検知情報）を保存する。
【０１１５】
その後、ステップＳ６０２では、乱数初期値カウンタＣＩＮＩの更新を実行する。具体的には、乱数初期値カウンタＣＩＮＩを１インクリメントすると共に、そのカウンタ値が最大値（本実施の形態では６７６）に達した際０にクリアする。そして、乱数初期値カウンタＣＩＮＩの更新値を、ＲＡＭ５０３の該当するバッファ領域に格納する。また、続くステップＳ６０３では、大当たり乱数カウンタＣ１、大当たり図柄カウンタＣ２及びリーチ乱数カウンタＣ３の更新を実行する。具体的には、大当たり乱数カウンタＣ１、大当たり図柄カウンタＣ２及びリーチ乱数カウンタＣ３をそれぞれ１インクリメントすると共に、それらのカウンタ値が最大値（本実施の形態ではそれぞれ、６７６，４９，２３８）に達した際それぞれ０にクリアする。そして、各カウンタＣ１〜Ｃ３の更新値を、ＲＡＭ５０３の該当するバッファ領域に格納する。
【０１１６】
その後、ステップＳ６０４では、第１の始動口３３への入賞に伴う始動入賞処理を実行する。この始動入賞処理を図１４のフローチャートにより説明すると、ステップＳ７０１では、遊技球が第１の始動口３３に入賞したか否かを作動口スイッチ２２４の検出情報により判別する。遊技球が第１の始動口３３に入賞したと判別されると、続くステップＳ７０２では、第１図柄表示装置４２の作動保留球数Ｎが上限値（本実施の形態では４）未満であるか否かを判別する。第１の始動口３３への入賞があり、且つ作動保留球数Ｎ＜４であることを条件にステップＳ７０３に進み、作動保留球数Ｎを１インクリメントする。
【０１１７】
また、続くステップＳ７０４では、第１図柄の当落に関わる乱数を取得する。具体的には、前記ステップＳ６０３で更新した大当たり乱数カウンタＣ１、大当たり図柄カウンタＣ２及びリーチ乱数カウンタＣ３の各値を、ＲＡＭ５０３の保留球格納エリアの空き記憶エリアのうち最初のエリアに格納する。このように始動入賞処理をした後、ＣＰＵ５０１は本タイマ割込処理を一旦終了する。
【０１１８】
図１５は、ＮＭＩ割込み処理を示すフローチャートであり、本処理は、主制御装置２６１のＣＰＵ５０１により停電の発生等によるパチンコ機１０の電源断時に実行される。このＮＭＩ割込みにより、電源断時の主制御装置２６１の状態がＲＡＭ５０３のバックアップエリア５０３ａに記憶される。
【０１１９】
すなわち、停電の発生等によりパチンコ機１０の電源が遮断されると、停電信号Ｓ１が停電監視回路５４２から主制御装置２６１内のＣＰＵ５０１のＮＭＩ端子に出力される。すると、ＣＰＵ５０１は実行中の制御を中断して図１５のＮＭＩ割込み処理を開始する。図１５のＮＭＩ割込み処理は、主制御装置２６１のＲＯＭ５０２に記憶されている。停電信号Ｓ１が出力された後所定時間は、主制御装置２６１の処理が実行可能となるように電源部５４１から電源供給がなされており、この所定時間内にＮＭＩ割込み処理が実行される。
【０１２０】
図１５のＮＭＩ割込み処理において、先ずステップＳ８０１では、使用レジスタをＲＡＭ５０３のバックアップエリア５０３ａに退避し、続くステップＳ８０２では、スタックポインタの値を同バックアップエリア５０３ａに記憶する。さらに、ステップＳ８０３では、電源断の発生情報をバックアップエリア５０３ａに設定し、ステップＳ８０４では、電源が速断されたことを示す電源断通知コマンドを他の制御装置に対して送信する。
【０１２１】
ステップＳ８０５ではＲＡＭ判定値を算出し、バックアップエリア５０３ａに保存する。ＲＡＭ判定値は、例えば、ＲＡＭ５０３の作業領域アドレスにおけるチェックサム値である。ステップＳ８０６では、ＲＡＭアクセスを禁止する。その後は、電源が完全に遮断して処理が実行できなくなるのに備え、無限ループに入る。
【０１２２】
なお、上記のＮＭＩ割込み処理は払出制御装置３１１でも同様に実行され、かかるＮＭＩ割込みにより、停電の発生等による電源断時の払出制御装置３１１の状態がＲＡＭ５１３のバックアップエリア５１３ａに記憶される。停電信号Ｓ１が出力された後所定時間は、払出制御装置３１１の処理が実行可能となるように電源部５４１から電源供給がなされるのも同様である。すなわち、停電の発生等によりパチンコ機１０の電源が遮断されると、停電信号Ｓ１が停電監視回路５４２から払出制御装置３１１内のＣＰＵ５１１のＮＭｌ端子に出力され、ＣＰＵ５１１は実行中の制御を中断して図１５のＮＭＩ割込み処理を開始する。その内容は図１５で説明した通りである（但し、この払出制御装置３１１のＮＭＩ割込み処理ではステップＳ８０４の電源断通知コマンドの送信はない）。
【０１２３】
次に、メイン処理について説明する。
図８は、主制御装置２６１内のＣＰＵ５０１により実行されるメイン処理の一例を示すフローチャートであり、このメイン処理は電源投入時のリセットに伴い起動される。
【０１２４】
先ず、ステップＳ１０１では、電源投入に伴う初期設定処理を実行する。具体的には、スタックポインタに予め決められた所定値を設定すると共に、サブ側の制御装置（音声ランプ制御装置２６２、払出制御装置３１１等）が動作可能な状態になるのを待つために例えば１秒程度、ウエイト処理を実行する。また、ステップＳ１０２では、払出制御装置３１１に対して払出許可コマンドを送信し、続くステップＳ１０３では、ＲＡＭアクセスを許可する。
【０１２５】
その後、ＣＰＵ５０１内のＲＡＭ５０３に関してデータバックアップの処理を実行する。つまり、ステップＳ１０４では、電源装置３１３に設けたＲＡＭ消去スイッチが押下（ＯＮ）されているか否かを判別し、続くステップＳ１０５では、ＲＡＭ５０３のバックアップエリア５０３ａに電源断の発生情報が設定されているか否かを判別する。また、ステップＳ１０６ではＲＡＭ判定値を算出し、続くステップＳ１０７では、そのＲＡＭ判定値が電源断時に保存したＲＡＭ判定値と一致するか否か、すなわちバックアップの有効性を判別する。ＲＡＭ判定値は、例えばＲＡＭ５０３の作業領域アドレスにおけるチェックサム値である。なお、ＲＡＭ５０３の所定のエリアに書き込まれたキーワードが正しく保存されているか否かによりバックアップの有効性を判断することも可能である。
【０１２６】
上述したように、本パチンコ機１０では、例えばホールの営業開始時など、電源投入時に初期状態に戻したい場合にはＲＡＭ消去スイッチを押しながら電源が投入される。従って、ＲＡＭ消去スイッチがＯＮされていれば、ＲＡＭの初期化処理（ステップＳ１１４等）に移行する。また、電源断の発生情報が設定されていない場合や、ＲＡＭ判定値（チェックサム値等）によりバックアップの異常が確認された場合も同様にＲＡＭ５０３の初期化処理（ステップＳ１１４等）に移行する。つまり、ステップＳ１１４ではＲＡＭ５０３の使用領域を０にクリアし、続くステップＳ１１５ではＲＡＭ５０３の初期化処理を実行する。また、ステップＳ１１６では割込み許可を設定し、後述する通常処理に移行する。
【０１２７】
一方、ＲＡＭ消去スイッチが押されていない場合には、電源断の発生情報が設定されていること、及びＲＡＭ判定値（チェックサム値等）が正常であることを条件に、復電時の処理（電源断復旧時の処理）を実行する。つまり、ステップＳ１０８では、電源断前のスタックポインタを復帰させ、ステップＳ１０９では、電源断の発生情報をクリアする。ステップＳ１１０では、サブ側の制御装置を電源断時の遊技状態に複帰させるためのコマンドを送信し、ステップＳ１１１では、使用レジスタをＲＡＭ５０３のバックアップエリア５０３ａから復帰させる。さらに、ステップＳ１１２，Ｓ１１３では、割込み許可／不許可を電源断前の状態に復帰させた後、電源断前の番地へ戻り、それから後述する通常処理（図９参照）に移行する。例えば、通常処理のステップＳ２０２まで実行されて電源断となった場合には、電源断前の番地へ戻り、通常処理のステップＳ２０３から実行されることになる。
【０１２８】
次に、通常処理の流れを図９のフローチャートを参照しながら説明する。この通常処理では遊技の主要な処理が実行される。その概要として、ステップＳ２０１〜Ｓ２０７の処理が４ｍｓｅｃ周期の定期処理として実行され、その残余時間でステップＳ２０９，Ｓ２１０のカウンタ更新処理が実行される構成となっている。
【０１２９】
図９において、先ずステップＳ２０１では、前回の処理で更新されたコマンド等の出力データをサブ側の各制御装置に送信する。具体的には、入賞検知情報の有無を判別し、入賞検知情報があれば払出制御装置３１１に対して獲得遊技球数に対応する賞球払出コマンドを送信する。また、第１図柄表示装置４２による第１図柄の変動表示に際して停止図柄コマンド、変動パターンコマンド、確定コマンド等を表示制御装置４５に送信する。なお、第１図柄の変動開始後において、変動パ夕ーンコマンド→左図柄列の停止図柄コマンド→右図柄列の停止図柄コマンド→中図柄列の停止図柄コマンドの順で通常処理の都度１つずつ（すなわち、４ｍｓｅｃ毎に１つずつ）コマンドが送出され、変動時間経過のタイミングで確定コマンドが送出されるようになっている。
【０１３０】
次に、ステップＳ２０２では、変動種別カウンタＣＳ１，ＣＳ２の更新を実行する。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の更新値を、ＲＡＭ５０３の該当するバッファ領域に格納する。続くステップＳ２０３では、左図柄列、中図柄列及び右図柄列の各外れ図柄カウンタＣＬ，ＣＭ，ＣＲの更新を実行する。
【０１３１】
各外れ図柄カウンタＣＬ，ＣＭ，ＣＲの更新処理を詳しく説明すると、図１０に示すように、ステップＳ３０１では、左図柄列の外れ図柄カウンタＣＬの更新時期か否かを判別し、ステップＳ３０２では、中図柄列の外れ図柄カウンタＣＭの更新時期か否かを判別する。そして、左図柄列の更新時期（ステップＳ３０１がＹＥＳ）であればステップＳ３０３に進み、左図柄列の外れ図柄カウンタＣＬを更新する。また、中図柄列の更新時期（ステップＳ３０２がＹＥＳ）であればステップＳ３０４に進み、中図柄列の外れ図柄カウンタＣＭを更新する。さらに、右図柄列の更新時期（ステップＳ３０１，Ｓ３０２が共にＮＯ）であればステップＳ３０５に進み、右図柄例の外れ図柄カウンタＣＲを更新する。ステップＳ３０３〜Ｓ３０５の外れ図柄カウンタＣＬ，ＣＭ，ＣＲの更新では、前回のカウンタ値にＲレジスタの下位３ビットの値を加算すると共にその加算結果が最大値を超えた場合に２０を減算し、その演算結果を外れ図柄カウンタＣＬ，ＣＭ，ＣＲの今回値とする。
【０１３２】
上記ＣＬ，ＣＭ，ＣＲの更新処理によれば、左図柄列、中図柄列及び右図柄列の各外れ図柄カウンタＣＬ，ＣＭ，ＣＲが１回の通常処理で１つずつ順に更新され、各カウンタ値の更新時期が重なることはない。これにより、通常処理を３回実行する毎に外れ図柄カウンタＣＬ，ＣＭ，ＣＲの１セット分が更新されるようになっている。
【０１３３】
その後、ステップＳ３０６では、上記更新した外れ図柄カウンタＣＬ，ＣＭ，ＣＲの組み合わせがリーチ図柄の組み合わせになっているか否かを判別し、リーチ図柄の組み合わせである場合、さらにステップＳ３０７では、それが前後外れリーチであるか否かを判別する。外れ図柄カウンタＣＬ，ＣＭ，ＣＲが前後外れリーチの組み合わせである場合、ステップＳ３０６に進み、その時の外れ図柄カウンタＣＬ，ＣＭ，ＣＲの組み合わせをＲＡＭ５０３の前後外れリーチ図柄バッファに格納する。外れ図柄カタンタＣＬ，ＣＭ，ＣＲが前後外れ以外リーチの組み合わせである場合には、ステップＳ３０９に進み、その時の外れ図柄カウンタＣＬ，ＣＭ，ＣＲの組み合わせをＲＡＭ５０３の前後外れ以外リーチ図柄バッファに格納する。
【０１３４】
また、リーチ図柄以外の組み合わせである場合、ステップＳ３１０では、外れ図柄カウンタＣＬ，ＣＭ，ＣＲの組み合わせが外れ図柄の組み合わせになっているか否かを判別し、外れ図柄の組み合わせになっていれば、ステップＳ３１１に進み、その時の外れ図柄カウンタＣＬ，ＣＭ，ＣＲの組み合わせをＲＡＭ５０３の外れ図柄バッファに格納する。なお、ステップＳ３０６，Ｓ３１０が共にＮＯの場合は、左・中・右で図柄が揃っている、すなわち大当たりの状態に相当するが、かかる場合、外れ図柄カウンタＣＬ，ＣＭ，ＣＲをバッファに格納することなくそのまま本処理を終了する。
【０１３５】
外れ図柄カウンタの更新処理の後、図９のステップＳ２０４では、払出制御装置３１１より受信した賞球計数信号や払出異常信号を読み込む。その後、ステップＳ２０５では、第１図柄表示装置４２による第１図柄の変動表示を行うための第１図柄変動処理を実行する。この第１図柄変動処理により、大当たり判定や第１図柄の変動パターンの設定などが行われる。但し、第１図柄変動処理の詳細は後述する。
【０１３６】
その後、ステップＳ２０６では、大当たり状態である場合において可変入賞装置３５の大入賞口を開放又は閉鎖するための大入賞口開閉処理を実行する。すなわち、大当たり状態のラウンド毎に大入賞口を開放し、大入賞口の最大開放時間が経過したか、又は大入賞口に遊技球が規定数だけ入賞したかを判定する。そして、これら何れかの条件が成立すると大入賞口を閉鎖する。このとき、遊技球が特定領域を通過したことを条件に大入賞口の連続開放を許容し、これを所定ラウンド数繰り返し実行する。
【０１３７】
また、ステップＳ２０７では、第２図柄表示装置４１による第２図柄の表示制御を実行する。簡単に説明すると、遊技球が第２の始動口３４を通過したことを条件に、その都度の第２図柄乱数カウンタＣ４が取得されると共に第２図柄表示装置４１の表示部４３にて第２図柄の変動表示が実施される。そして、第２図柄乱数カウンタＣ４の値により第２図柄の抽選が実施され、第２図柄の当たり状態になると第１の始動口３３が所定時間開放される。なお説明は省略したが、第２図柄乱数カウンタＣ４も、大当たり乱数カウンタＣ１、大当たり図柄カウンタＣ２及びリーチ乱数カウンタＣ３と同様に、図１３に示すタイマ割込処理にて更新されるようになっている。
【０１３８】
その後、ステップＳ２０８では、次の通常処理の実行タイミングに至ったか否か、すなわち前回の通常処理の開始から所定時間（本実施の形態では４ｍｓｅｃ）が経過したか否かを判別する。そして、次の通常処理の実行タイミングに至るまでの残余時間内において、乱数初期値カウンタＣＩＮＩ及び変動種別カウンタＣＳ１，ＣＳ２の更新を繰り返し実行する（ステップＳ２０９，Ｓ２１０）。つまり、ステップＳ２０９では、乱数初期値カウンタＣＩＮＩの更新を実行する。具体的には、乱数初期値カウンタＣＩＮＩを１インクリメントすると共に、そのカウンタ値が最大値（本実施の形態では６７６）に達した際０にクリアする。そして、乱数初期値カウンタＣＩＮＩの更新値を、ＲＡＭ５０３の該当するバッファ領域に格納する。
【０１３９】
また、ステップＳ２１０では、変動種別カウンタＣＳ１，ＣＳ２の更新を実行する（前記ステップＳ２０２と同様）。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の更新値を、ＲＡＭ５０３の該当するバッファ領域に格納する。
【０１４０】
ここで、ステップＳ２０１〜Ｓ２０７の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができるようになる。
【０１４１】
次に、前記ステップＳ２０５の第１図柄変動処理を図１１のフローチャートを参照して説明する。
【０１４２】
図１１において、ステップＳ４０１では、今現在大当たり中であるか否かを判別する。なお、大当たり中には、大当たりの際に第１図柄表示装置４２で表示される特別遊技の最中と特別遊技終了後の所定時間の最中とが含まれる。続くステップＳ４０２では、第１図柄表示装置４２による第１図柄の変動表示中であるか否かを判別する。そして、大当たり中でなくさらに第１図柄の変動表示中でもない場合、ステップＳ４０３に進み、第１図柄表示装置４２の作動保留球数Ｎが０よりも大きいか否かを判別する。このとき、大当たり中であるか、又は作動保留球数Ｎが０である場合、そのまま本処理を終了する。
【０１４３】
また、大当たり中、第１図柄の変動表示中の何れでもなく且つ作動保留球数Ｎ＞０であれば、ステップＳ４０４に進む。ステップＳ４０４では、作動保留球数Ｎを１減算する。ステップＳ４０５では、保留球格納エリアに格納されたデータをシフトさせる処理を実行する。このデータシフト処理は、保留球格納エリアの保留第１〜第４エリアに格納されているデータを実行エリア側に順にシフトさせる処理であって、保留第１エリア→実行エリア、保留第２エリア→保留第１エリア、保留第３エリア→保留第２ユリア、保留第４エリア→保留第３エリアといった具合に各エリア内のデータがシフトされる。
【０１４４】
その後、ステップＳ４０６では、変動開始処理を実行する。ここで、図１２のフローチャートを用いて変動開始処理の詳細を説明すると、ステップＳ５０１では、保留球格納エリアの実行エリアに格納されている大当たり乱数カウンタＣ１の値に基づいて大当たりか否かを判別する。具体的には、大当たりか否かは大当たり乱数カウンタ値とその時々のモードとの関係に基づいて判別され、前述した通り通常の低確率時には大当たり乱数カウンタＣ１の数値０〜６７６のうち「３３７，６７３」が当たり値であり、高確率時には「６７，１３１，１９９，２６９，３３７，４０１，４６３，５２３，６０１，６６１」が当たり値である。
【０１４５】
大当たりであると判別された場合、ステップＳ５０２では、保留球格納エリアの実行エリアに格納されている大当たり図柄カウンタＣ２の値に対応する図柄、すなわち大当たり図柄を図示しないテーブル（大当たり図柄カウンタＣ２の値と図柄との対応関係を表すテーブル）に基づいて求め、その図柄を停止図柄コマンドに設定する。このとき、大当たり図柄カウンタＣ２の数値０〜４４は、全５つの有効ライン上における４５通りの大当たり図柄の何れかに対応しており、停止図柄コマンドには５０通りの大当たり図柄の何れかが設定される。これらの大当たり図柄のうち予め定められた特定図柄で揃った場合には以後確変状態に移行するが、特定図柄でない図柄（非特定図柄〉で揃った場合には確変状態に移行しない。
【０１４６】
次に、ステップＳ５０３では、大当たり時における変動パターンを決定し、当該変動パターンを変動パターンコマンドに設定する。このとき、ＲＡＭ５０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等、第１図柄のリーチ種別やその他大まかな図柄変動態様を決定すると共に、第２変動種別カウンタＣＳ２の値に基づいてリーチ発生後に最終停止図柄（本実施の形態では中図柄〉が停止するまでの経過時間（言い換えれば、変動図柄数）などより細かな図柄変動態様を決定する。なお、第１変動種別カウンタＣＳ１の数値とリーチパターンとの関係、第２変動種別カウンタＣＳ２の数値と停止図柄時間との関係は、それぞれにテーブル等により予め規定されている。
【０１４７】
一方、ステップＳ５０１で大当たりではないと判別された場合には、ステップＳ５０４で、保留球格納エリアの実行エリアに格納されているリーチ乱数カウンタＣ３の値に基づいてリーチ発生か否かを判別し、リーチ発生の場合、さらにステップＳ５０５で、同じくリーチ乱数カウンタＣ３の値に基づいて前後外れリーチであるか否かを判別する。本実施の形態では、リーチ乱数カウンタＣ３の値は０〜２３８の何れかであり、そのうち「０，１」が前後外れリーチに該当し、「２〜２１」が前後外れ以外リーチに該当し、「２２〜２３８」がリーチなし（完全外れ）に該当する。
【０１４８】
前後外れリーチ発生の場合、ステップＳ５０６に進み、ＲＡＭ５０３の前後外れリーチ図柄バッファに格納されている左・中・右の各外れ図柄カウンタＣＬ，ＣＭ，ＣＲの各値を停止図柄コマンドに設定する。また、ステップＳ５０７では、前後外れリーチ時における変動パターンを決定し、当該変動パターンを変動パターンコマンドに設定する。このとき、前記ステップＳ５０３と同様に、ＲＡＭ５０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等、第１図柄のリーチ種別やその他大まかな図柄変動態様を決定すると共に、第２変動種別カウンタＣＳ２の値に基づいてリーチ発生後に最終停止図柄（本実施の形態では中図柄）が停止するまでの経過時間（言い換えれば、変動図柄数）などより細かな図柄変動態様を決定する。
【０１４９】
また、前後外れ以外リーチ発生の場合、ステップＳ５０８に進み、ＲＡＭ５０３の前後外れ以外リーチ図柄バッファに格納されている左・中・右の各外れ図柄カウンタＣＬ，ＣＭ，ＣＲの各値を停止図柄コマンドに設定する。また、ステップＳ５０９では、前後外れ以外リーチ時における変動パターンを決定し、当該変動パターンを変動パターンコマンドに設定する。このとき、ＲＡＭ５０３のカウンタ用バッファに格納されている変動種別カウンタＣＳ１，ＣＳ２の値に基づいて変動パターンが決定されるのは前記ステップＳ５０３等と同様である。
【０１５０】
大当たりでなくリーチでもない場合、ステップＳ５１０に進み、ＲＡＭ５０３の完全外れ図柄バッファに格納されている左・中・右の各外れ図柄カウンタＣＬ，ＣＭ，ＣＲの各値を停止図柄コマンドに設定する。また、ステップＳ５１１では、完全外れ時における変動パターンを決定し、当該変動パターンを変動パターンコマンドに設定する。このとき、リーチ発生しないことで、遊技者の興味は薄れ、多様な図柄変動態様は要求されない。そこで本実施の形態では、ステップＳ５１１において、第１変動種別カウンタＣＳ１だけを用いて（すなわち第２変動種別カウンタＣＳ２を使わずに）図柄変動種別を決定する。上記の通り大当たり時、リーチ発生時、リーチ非発生時のそれぞれで図柄停止コマンド及び変動パターンコマンドの設定が完了すると、本処理を終了する。
【０１５１】
図１１の説明に戻り、ステップＳ４０２がＹＥＳ、すなわち第１図柄の変動表示中である場合には、ステップＳ４０７に進み、変動時間が経過したか否かを判別する。このとき、第１図柄の変動パターンに応じて当該第１図柄の変動時間が決められており、この変動時間が経過した時にステップＳ４０７が肯定判別される。そして、ステップＳ４０８では、変動の停止命令を確定コマンドとして設定し、その後本処理を終了する。
【０１５２】
次に、払出制御装置３１１内のＣＰＵ５１１により実行される払出制御について説明する。図１６は、払出制御装置３１１のメイン処理を示すフローチャートであり、このメイン処理は電源投入時のリセットに伴い起動される。
【０１５３】
先ず、ステップＳ９０１では、電源投入に伴う初期設定処理を実行する。具体的には、スタックポインタに予め決められた所定値を設定すると共に、割込みモードを設定する。また、ステップＳ９０２では、主制御装置２６１から送信される払出許可コマンドを受信するまで待機する。そして、払出許可コマンドを受信した時点でステップＳ９０３に進んでＲＡＭアクセスを許可すると共に、ステップＳ９０４で外部割込みベクタの設定を行う。
【０１５４】
その後、ＣＰＵ５１１内のＲＡＭ５１３に関してデータバックアップの処理を実行する。つまり、ステップＳ９０５では、電源装置３１３に設けたＲＡＭ消去スイッチが押下（ＯＮ）されているか否かを判別し、続くステップＳ９０６では、ＲＡＭ５１３のバックアップエリア５１３ａに電源断の発生情報が設定されているか否かを判別する。また、ステップＳ９０７ではＲＡＭ判定値を算出し、続くステップＳ９０８では、そのＲＡＭ判定値が電源断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０１５５】
ＲＡＭ消去スイッチ５２３がＯＮされていれば、ＲＡＭの初期化処理（ステップＳ９１５等）に移行する。また、電源断の発生情報が設定されていない場合や、ＲＡＭ判定値（チェックサム値等）によりバックアップの異常が確認された場合も同様にＲＡＭ５１３の初期化処理（ステップＳ９１５等）に移行する。つまり、ステップＳ９１５ではＲＡＭ５１３の全領域を０にクリアし、続くステップＳ９１６ではＲＡＭ５１３の初期化処理を実行する。また、ステップＳ９１７ではＣＰＵ周辺デバイスの初期設定を行うと共に、ステップＳ９１８では割込み許可を設定し、後述する払出制御処理に移行する。
【０１５６】
一方、ＲＡＭ消去スイッチが押されていない場合には、電源断の発生情報が設定されていること、及びＲＡＭ判定値（チェックサム値等）が正常であることを条件に、復電時の処理（電源断復旧時の処理）を実行する。つまり、ステップＳ９０９では、電源断前のスタックポインタを復帰させ、ステップＳ９１０では、電源断の発生情報をクリアする。また、ステップＳ９１１では、ＣＰＵ周辺デバイスの初期設定を行い、ステップＳ９１２では、使用レジスタをＲＡＭ５１３のバックアップエリア５１３ａから復帰させる。さらに、ステップＳ９１３，Ｓ９１４では、割込み許可／不許可を電源断前の状態に復帰させた後、電源断前の番地へ戻る。
【０１５７】
次に、払出制御処理の流れを図１７のフローチャートを参照しながら説明する。
【０１５８】
図１７において、ステップＳ１００１では、主制御装置２６１からのコマンドを取得し、賞球の総賞球個数を記憶する。ステップＳ１００２では、発射制御装置３１２に対して発射許可の設定を行う。また、ステップＳ１００３では、状態復帰スイッチ（図示省略）をチェックして、状態復帰動作開始と判定した場合に状態復帰動作を実行する。
【０１５９】
その後、ステップＳ１００４では、下皿１５の状態の変化に応じて下皿満タン状態又は下皿満タン解除状態の設定を実行する。すなわち、下皿満タンスイッチの検出信号により下皿１５の満タン状態を判別し、下皿満タンになった時、下皿満タン状態の設定を実行し、下皿満タンでなくなった時、下皿満タン解除状態の設定を実行する。また、ステップＳ１００５では、タンク球の状態の変化に応じてタンク球無し状態又はタンク球無し解除状態の設定を実行する。すなわち、タンク球無しスイッチの検出信号によりタンク球無し状態を判別し、タンク球無しになった時、タンク球無し状態の設定を実行し、タンク球無しでなくなった時、タンク球無し解除状態の設定を実行する。
【０１６０】
その後、ステップＳ１００６では、報知する状態の有無を判別し、報知する状態が有る場合には払出制御装置３１１に設けた７セグメントＬＥＤにより報知する。
【０１６１】
ステップＳ１００７〜Ｓ１００９では、賞球払出の処理を実行する。この場合、貸球の払出不可状態でなく、且つ前記ステップＳ１００１で記憶した総賞球個数が０でなければ（ステップＳ１００７，Ｓ１００８が共にＮＯ）、ステップＳ１００９に進み、賞球制御処理（後述する図１８）を開始する。また、賞球の払出不可状態、又は総賞球個数が０であれば（ステップＳ１００７，Ｓ１００８の何れかがＹＥＳ）、貸球払出の処理に移行する。
【０１６２】
その後、ステップＳ１０１０〜Ｓ１０１２では、貸球払出の処理を実行する。この場合、貸球の払出不可状態でなく、且つカードユニットからの貸球払出要求を受信していれば（ステップＳ１０１０がＮＯ、Ｓ１０１１がＹＥＳ）、ステップＳ１０１２に進み、貸球制御処理（後述する図１９）を開始する。また、貸球の払出不可状態、又は貸球払出要求を受信していなければ（ステップＳ１０１０がＹＥＳ又はＳ１０１１がＮＯ）、後続の球抜きの処理を実行する。
【０１６３】
ステップＳ１０１３では、状態復帰スイッチ（図示省略）をチェックして球抜き不可状態でないこと、及び球抜き動作開始でないことを条件に、払出モータ３５８ａを駆動させ球抜き処理を実行する。続くステップＳ１０１４では、球詰まり状態であることを条件にバイブレータ３６０の制御（バイブモータ制御）を実行する。その後、本払出制御処理の先頭に戻る。
【０１６４】
ここで、図１８に示す賞球制御処理において、ステップＳ１１０１では、払出モータ３５８ａを駆動させて賞球の払出を実行する。続くステップＳ１１０２では、払出モータ３５８ａの回転が正常であるかを払出回転センサの検出結果により判別する。払出モータ３５８ａの回転が正常でなければ、ステップＳ１１０３に進み、払出モータ３５８ａを駆動させてリトライ処理を実行すると共に払出モータ３５８ａの停止処理を実行し、その後、図１７の払出制御処理に戻る。
【０１６５】
また、払出モータ３５８ａの回転が正常であれば、ステップＳ１１０４に進み、遊技球のカウントが正常に行われているか否かを払出カウントスイッチの検出結果により判別する。遊技球のカウントが正常でなければ、ステップＳ１１０５に進み、払出モータ３５８ａを駆動させてリトライ処理を実行すると共に払出モータ３５８ａの停止処理を実行し、その後、図１７の払出制御処理に戻る。
【０１６６】
さらに、遊技球のカウントが正常であれば、ステップＳ１１０６に進み、払出カウントスイッチによる遊技球のカウント数が総賞球個数に達して払出が完了したか否かを判別する。払出が完了していれば、ステップＳ１１０７で払出モータ３５８ａの停止処理を実行し、その後、図１７の払出制御処理に戻る。
【０１６７】
また、図１９に示す貸球制御処理において、ステップＳ１２０１では、払出モータ３５８ａを駆動させて貸球の払出を実行する。続くステップＳ１２０２では、払出モータ３５８ａの回転が正常であるかを払出回転センサの検出結果により判別する。払出モータ３５８ａの回転が正常でなければ、ステップＳ１２０３に進み、払出モータ３５８ａを駆動させてリトライ処理を実行すると共に払出モータ３５８ａの停止処理を実行し、その後、図１７の払出制御処理に戻る。
【０１６８】
また、払出モータ３５８ａの回転が正常であれば、ステップＳ１２０４に進み、遊技球のカウントが正常に行われているか否かを払出カウントスイッチの検出結果により判別する。遊技球のカウントが正常でなければ、ステップＳ１２０５に進み、払出モータ３５８ａを駆動させてリトライ処理を実行すると共に払出モータ３５８ａの停止処理を実行し、その後、図１７の払出制御処理に戻る。
【０１６９】
さらに、遊技球のカウントが正常であれば、ステップＳ１２０６に進み、払出カウントスイッチによる遊技球のカウント数が所定の貸球個数（２５個）に達して払出が完了したか否かを判別する。払出が完了していれば、ステップＳ１２０７で払出モータ３５８ａの停止処理を実行し、その後、図１７の払出制御処理に戻る。
【０１７０】
次に、本実施例のパチンコ機１０のさらなる特徴部分の構成について、図２０を用いて説明する。図２０は主制御装置２６１と表示制御装置４５との要部構成を示すブロック図である。
【０１７１】
パチンコ機１０は、図２０に示すように、主制御装置２６１，表示制御装置４５，第１図柄表示装置４２などを備えている。
【０１７２】
主制御装置２６１は、第１の始動口３３内の第１作動口スイッチ２２４で遊技球が入球（通過）検出されたことに基づいて、遊技者にとって有利な特定遊技状態（例えば、多くの賞球を得ることができる大当たり状態）が発生するか否かを抽選する第１抽選部４００と、第１作動口スイッチ２２４で遊技球が入球（通過）検出されたことに基づいて、所定の確率で特定遊技状態が発生する通常状態と、当該通常状態よりも特定遊技状態が発生する確率が高い確変状態とのいずれかの状態とするかを抽選する第２抽選部４１０とを備えている。なお、上述した第１作動口スイッチ２２４は、本発明における遊技球検出手段に相当する。
【０１７３】
主制御装置２６１は、第１抽選部４００での抽選結果が特定遊技状態を発生するとする場合に、第１図柄表示装置４２での第１図柄の変動表示結果を予め設定した特定の図柄の組合せ（大当り図柄）で表示して特別遊技状態を発生させる機能を有する。要するに、主制御装置２６１は、始動入賞（第１作動口スイッチ２２４での遊技球の入球検出）の際に取得した、０〜６７６までの値をとり得る大当たり乱数カウンタＣ１（特別遊技状態となるか否かを決定するための第１乱数群）の値（第１乱数）に基づいて、特別遊技状態を発生させているのである。
【０１７４】
具体的には、主制御装置２６１のＣＰＵ５０１の一機能である第１抽選部４００は、図２０に示すように、大当たり乱数カウンタＣ１を発生させる第１乱数発生部４０１（第１乱数群発生機能）を有している。また、主制御装置２６１は、第１作動口スイッチ２２４で遊技球が入球検出されることに基づいて、ＲＡＭ５０３の保留球格納エリアのうちの大当たり乱数カウンタＣ１の値を記憶するエリア（第１乱数記憶部４０２）を備えている。また、主制御装置２６１のＲOＭ５０２は、第１抽選部４００で特定遊技状態が発生する確率がそれぞれ異なるように設けられた複数個の特定遊技状態用判定テーブル４０４を備えている。さらに、第１抽選部４００は、後述する特定遊技状態確率指示部４２３の指示で選択された特定遊技状態用判定テーブル４０４に基づいて、ＣＰＵ５０１でこの保留球格納エリアに記憶された大当たり乱数カウンタＣ１の値（第１乱数）が当り値であるか否かを決定する第１決定部４０３（決定機能）を有している。なお、上述の第１乱数発生部４０１，第１決定部４０３は、ＣＰＵ５０１に所定のプログラムを実行させることで実現されている。
【０１７５】
特定遊技状態用判定テーブル４０４は、複数個（例えば、２個）備えられ、一方の特定遊技状態用判定テーブル４０４は、第１決定部４０３で特定遊技状態とするか否かを決定する際に、所定の確率で特定遊技状態が発生する通常状態（低確率）とするための特定遊技状態用判定テーブル４０４である。例えば、この特定遊技状態用判定テーブル４０４は、第１乱数発生部４０１で発生した値（第１乱数）である「０〜６７６」のうち２個の値「３３７，６７３」であれば第１決定部４０３で大当り（大当たり確率１／３３８．５）と決定し、そうでなければ外れと決定するために用いられるものである。他方の特定遊技状態用判定テーブル４０４は、第１決定部４０３で特定遊技状態とするか否かを決定する際に、通常状態よりも特定遊技状態が発生する確率が高い確変状態（高確率）とするための特定遊技状態用判定テーブル４０４である。例えば、この特定遊技状態用判定テーブル４０４は、第１乱数発生部４０１で発生した値（第１乱数）である「０〜６７６」のうち１０個の値「６７，１３１，１９９，２８９，３３７，４０１，４６３，５２３，６０１，６６１」であれば第１決定部４０３で大当り（大当たり確率１／６７．７）と決定し、そうでなければ外れと決定するために用いられるものである。
【０１７６】
具体的には、主制御装置２６１のＣＰＵ５０１の一機能である第２抽選部４１０は、大当たり図柄カウンタＣ２（通常状態と確変状態とのいずれかの状態を抽選するための第２乱数）を発生させる第２乱数発生部４１１（第２乱数群発生機能）を有している。また、主制御装置２６１は、第１作動口スイッチ２２４で遊技球が入球検出されたことに基づいて、第２乱数発生部４１１で発生させた第２乱数のうちの一の第２乱数を記憶するＲＡＭ５０３の保留球格納エリア（第２乱数記憶部４１２）を有している。また、主制御装置２６１のＲOＭ５０２は、第２抽選部４１０での抽選についての当落を判定するために用いられるものであって、確変状態に当選する当選確率がそれぞれ異なるように設けられた複数個の確変状態用判定テーブル４１４を備えている。さらに、確変確率指示部４２４の指示で選択された確変状態用判定テーブル４１４とに基づいて通常状態と確変状態とのいずれかの状態とするのかを決定する第２決定部４１３（決定機能）とを備えている。なお、上述の第２乱数発生部４１１，第２決定部４１３は、ＣＰＵ５０１に所定のプログラムを実行させることで実現されている。
【０１７７】
確変状態用判定テーブル４１４は、複数個（例えば、２個）備えられ、一方の確変状態用判定テーブル４１４は、第２決定部４１３で通常状態と確変状態とのいずれかの状態とするかを決定する際に、所定の確率で確変状態当選とするための確変状態用判定テーブル４１４である。例えば、この確変状態用判定テーブル４１４は、第２乱数発生部４１１で発生した値（第２乱数）である「０〜４９」のうち「０〜２４」を確変状態ではない通常状態とし、「２５〜４９」を確変状態当選（確変確率５／１０）とするように第２決定部４１３で決定するために用いられるものである。他方の確変状態用判定テーブル４１４は、第２決定部４１３で通常状態と確変状態とのいずれかの状態とするかを決定する際に、所定の確率よりも高い確率で確変状態当選とするための確変状態用判定テーブル４１４である。例えば、この確変状態用判定テーブル４１４は、第２乱数発生部４１１で発生した値（第２乱数）である「０〜４９」のうち「０〜９」を確変状態ではない通常状態とし、「１０〜４９」を確変状態当選（確変確率８／１０）とするように第２決定部４１３で決定するために用いられるものである。
【０１７８】
なお、上述した第１抽選部４００は、本発明における第１抽選手段に相当する。上述した第２抽選部４１０は、本発明における第２抽選手段に相当する。上述した第２乱数発生部４１１は、本発明における第２乱数発生手段に相当する。上述した第２乱数記憶部４１２は、本発明における第２乱数記憶手段に相当する。上述した第２決定部４１３は、本発明における第２決定手段に相当する。
【０１７９】
次に、第１抽選部４００で抽選される状態と第２抽選部４１０で抽選される状態とを示すモードが、次の第１抽選部４００で抽選される状態と第２抽選部４１０で抽選される状態とを示す次のモードに移行する構成について、図２１，図２２を用いて説明する。図２１は、モード判定用テーブル４３１を示す説明図である。図２２は、モード移行テーブル４２２を示す説明図である。
【０１８０】
主制御装置２６１のＲOＭ５０２は、第１抽選部４００で抽選される状態と第２抽選部４１０で抽選される状態とを示す複数のモードを判別するためのモード判定用テーブル４３１を有している。さらに、主制御装置２６１のＣＰＵ５０１は、第１決定部４０３での決定に用いられた特定遊技状態用判定テーブル４０４を示す信号と、第２決定部４１３での決定に用いられた確変状態用判定テーブル４１４を示す信号とが入力され、これらの信号とモード判定用テーブル４３１とに基づいて、複数のモードのうちで現状のモードを特定するモード特定部４３０を備えている。また、主制御装置２６１のＲOＭ５０２は、第２抽選部４１０での抽選に用いる情報（第２乱数）と、モード特定部４３０で特定された現状のモードとに基づいて、次のモードに移行するモードが決められたモード移行テーブル４２２を有している。さらに、主制御装置２６１のＣＰＵ５０１は、モード移行テーブル４２２に基づいて、次のモードに移行するモード移行部４２０を備えている。なお、モード特定部４３０とモード移行部４２０とは、主制御装置２６１のＣＰＵ５０１の一機能により実現する。
【０１８１】
具体的には、モード判定用テーブル４３１は、第１抽選部４００での抽選が通常状態で行われ、かつ、第２抽選部４１０での抽選が所定の確率で確変状態当選となる状態である第１モードと、第１抽選部４００での抽選が確変状態で行われ、かつ、第２抽選部４１０での抽選が第１モードよりも高い確率で確変状態当選となる状態である第２モードと、第１抽選部４００での抽選が確変状態で行われ、かつ、第２抽選部４１０での抽選が第２モードよりも低い確率で確変状態当選となる状態である第３モードとがある。
【０１８２】
さらに、モード判定用テーブル４３１が示す第１〜３モードと大当たり確率と確変確率との関係について、図２１を用いて説明する。第１抽選部４００での抽選が通常状態であることを示す大当たり確率が１／３３８．５で、第２抽選部４１０での抽選が所定の確率で確変状態当選することを示す確変確率が５／１０である場合を第１モードとする。また、第１抽選部４００での抽選が確変状態であることを示す大当たり確率が１／６７．７で、第２抽選部４１０での抽選が第１モードよりも高い確率で確変状態当選することを示す確変確率が８／１０である場合を第２モードとする。また、第１抽選部４００での抽選が確変状態であることを示す大当たり確率が１／６７．７であり、第２抽選部４１０での抽選が第２モードよりも低い確率で確変状態当選することを示す確変確率が５／１０である場合を第３モードとする。
【０１８３】
また、モード移行部４２０は、モード移行テーブル４２２を備えている。さらに、第２抽選部４１０での抽選に用いる情報とモード特定部４３０で特定された現状のモードとモード移行テーブル４２２に基づいて、次に移行するモードが決定される移行モード決定部４２１とを備えている。第１抽選部４００の複数個の特定遊技状態用判定テーブル４０４のうち、いずれか一つを用いて第１抽選部４００で抽選を行うように指示する特定遊技状態確率指示部４２３と、第２抽選部４１０の複数個の確変状態用判定テーブル４１４のうち、いずれか一つを用いて第２抽選部４１０で抽選を行うように指示する確変確率指示部４２４とを備えている。
【０１８４】
モード移行テーブル４２２について、図２２を用いて詳細に説明する。図２２の左端側の列方向には、モード移行部４２０に入力される「０〜４９」までの第２乱数を示す数字が「０〜４」，「５〜９」，・・・，「４０〜４９」のように５個の数字ごとに区切られて表示されている。また、上部側の行方向には、モード移行部４２０に入力されるモード特定部４３０で特定された現状のモード（モード１〜３）を示す表示がされている。ここで、モード移行部４２０に入力される第２乱数が記載された行方向と現状のモードが記載された列方向とが交わる部分に記載されたモードが次に移行するモードを示すようになっている。例えば、現状のモードが「モード１」で、第２乱数の値が「３０」である場合は「モード２」に移行することを示す。また、現状のモードが「モード２」で、第２乱数の値が「５」である場合は「モード３」に移行することを示す。このように、モード移行テーブル４２２は、現状のモードと第２乱数とにより、次のモードに移行されることを示すものである。なお、例えば、現状のモードが「モード３」で第２乱数の値が「０」である場合は、次のモードは「モード３」となり、モードは移行せず、同じモードの状態となることを示すものである。
【０１８５】
なお、上述したモード移行部４２０は、本発明におけるモード移行手段に相当する。移行モード決定部４２１は、本発明における移行モード決定手段に相当する。特定遊技状態確率指示部４２３は、本発明における特定遊技状態確率指示手段に相当する。確変確率指示部４２４は、本発明における確変確率指示手段に相当する。モード特定部４３０は、本発明におけるモード特定手段に相当する。
【０１８６】
次に、主制御装置２６１は、第１抽選部４００での抽選結果である特定遊技状態が発生するか否かと、第２抽選部４１０の抽選結果である通常状態と確変状態とのいずれかの状態とするかを、発光ダイオード４３３ａ，４３３ｂの点灯または消灯により表示する発光表示部４３４とを備えている。
【０１８７】
主制御装置２６１の発光表示部４３４は、第１抽選部４００での抽選結果を示す信号と第２抽選部４１０の抽選結果を示す信号とを入力し、発光ダイオード４３３ａ，４３３ｂを所定の点灯または消灯を表示するように制御する。
【０１８８】
図４に示すように、遊技盤３０の左側に備えられた第２の始動口３４の下側には、２個の発光ダイオード４３３ａ，４３３ｂ（左側の発光ダイオード４３３ａ，右側の発光ダイオード４３３ｂ）が配設されている。左側の発光ダイオード４３３ａは、第１抽選部４００での抽選結果が特定遊技状態（大当たり状態）である場合に点灯し、抽選結果が特定遊技状態とならない場合は、消灯した状態となる。右側の発光ダイオード４３３ｂは、第２抽選部４１０の抽選結果が確変状態である場合に点灯し、抽選結果が通常状態である場合は、消灯した状態となる。なお、上述した発光ダイオード４３３ａ，４３３ｂは、本発明における発光手段に相当する。上述した発光表示部４３４は、本発明における発光表示手段に相当する。
【０１８９】
次に、表示制御装置４５について図２０を用いて説明する。表示制御装置４５は、主制御装置２６１で抽選された結果に基づく各種コマンド（変動パターンコマンド，停止図柄コマンド，確定コマンド等）を受信し、この各種コマンドに基づいて、第１図柄表示制御装置４２で識別情報を変動表示させるようになっている。
【０１９０】
さらに、表示制御装置４５は、第２抽選部４１０での確変状態当選確率を高めた状態であることを、第１図柄表示装置４２を用いて表示（示唆）する確変当選確率上昇示唆部４４０を備えている。
【０１９１】
第１図柄表示装置４２で変動表示される第１図柄（識別情報）について、図２３を用いて説明する。図２３は通常用第１図柄，確変用第１図柄，特別確変用第１図柄を示す説明図である。図２３は、通常用第１図柄（通常用識別情報）と確変用第１図柄（確変用識別情報）と特別確変用第１図柄（特別確変用識別情報）の３種類の第１図柄を備えており、通常用第１図柄としては、図柄（数字）を丸で囲ったものであり、確変用第１図柄としては、図柄（数字）を四角で囲ったものであり、特別確変用第１図柄としては図柄（数字）を三角で囲ったものである。
【０１９２】
ここで、第１図柄表示装置４２での変動表示結果が特別確変用第１図柄で揃うと第２抽選部４１０での当選確率を高めた状態となり、また、第１図柄表示装置４２での変動表示結果が通常用第１図柄または確変用第１図柄で揃うと第２抽選部４１０での当選確率を高めていない状態となる。
【０１９３】
確変当選確率上昇示唆部４４０は、第１図柄表示装置４２での変動表示結果が特別確変用第１図柄で揃うと、第１図柄表示装置４２での第１図柄の変動表示演出中に表示される複数個の通常用第１図柄のうちの所定の通常用第１図柄を、確変用第１図柄に変化させる識別情報変化表示制御部４４１を備えている。
【０１９４】
また、確変当選確率上昇示唆部４４０は、識別情報変化表示制御部４４１で確変用第１図柄に変化されたものも含めて、確変用識別情報を一覧表示する一覧表示制御部４４２を備えている。一覧表示制御部４４２は、特別遊技状態（大当たり状態）終了した後に、第１図柄表示装置４２で確変用第１図柄および特別確変用第１図柄を一覧表示させるように制御を行う。
【０１９５】
なお、上述した確変当選確率上昇示唆部４４０が本発明における確変当選確率上昇示唆手段に相当し、上述した識別情報変化表示制御部４４１が本発明における識別情報変化表示制御手段に相当し、上述した一覧表示制御部４４２が本発明における一覧表示制御手段に相当する。
【０１９６】
次に、第１図柄表示部４２について説明する。第１図柄表示部４２は、第１の始動口３３内の第１作動口スイッチ２２４で遊技球が入球（通過）検出されたことに基づいて、遊技者にとって有利な遊技状態とするか否かを示す所定の変動表示演出（変動パターン）を表示するものである。具体的には、主制御装置２６１からのコマンドを表示制御装置４５が受信し、表示制御装置４５から第１図柄表示装置４２での第１図柄の変動表示を開始させる指示を受けた場合に、遊技者にとって有利な遊技状態とするか否かを示す所定の変動表示演出を表示する。さらに、表示制御装置４５の一覧表示制御部４４２からの制御に基づいて、第１図柄表示装置４２で確変用第１図柄だけを一覧表示させる構成となっている。なお、上述した第１図柄表示部４１４は、本発明における識別情報変動表示手段に相当する。
【０１９７】
ここで、上述した構成に基づいて、主制御装置で現在のモードが次のモードに移行する流れについて、図２０を用いて説明する。
【０１９８】
まず、主制御装置２６１の初期設定として、遊技開始時の現在のモードが「モード１」となっており、この「モード１」に基づいて、第１抽選部４００の第１決定部４０３では、通常状態（低確率）の特定遊技状態用判定テーブル４０４を用い、第２抽選部４１０の第２決定部４１３では、所定の確率で確変状態当選とするための確変状態用判定テーブル４１４を用いて抽選が行われる。
【０１９９】
次に、遊技開始時の現在のモードが「モード１」である状態において、遊技盤３０に打ち込まれた遊技球が第１の始動口３３内の第１作動口スイッチ２２４で遊技球が入球（通過）検出された場合、この検出タイミングに基づいて、第１抽選部４００の第１乱数発生部４０１で発生した第１乱数（例えば、「０〜６７６」の値）の一つの値が第１乱数記憶部４０２で記憶される。例えば、第１乱数記憶部４０２で記憶された値が「３３７」の場合は、第１決定部４０３の特定遊技状態用判定テーブル４０４に基づいて、特定遊技状態（大当たり状態）と決定される。さらに、第１抽選部４００は、第１決定部４０３で特定遊技状態であると決定された場合においてのみ、第１決定部４０３で決定処理された後に、モード特定部４３０に特定遊技状態用判定テーブル４０４を示す信号を出力する。
【０２００】
また、第２抽選部４１０は、第１作動口スイッチ２２４で遊技球が入球（通過）検出された検出タイミングに基づいて、第２抽選部４１０の第２乱数発生部４１１で発生した第２乱数（例えば、「０〜４９」の値）の一つの値が第２乱数記憶部４１２で記憶される。例えば、第２乱数記憶部４１２で記憶された値が「３０」の場合は、第２決定部４１３の確変状態用判定テーブル４１４に基づいて、確変状態と決定される。また、第２抽選部４１０は、第２乱数記憶部４１２で記憶された値「３０」を示す第２乱数信号がモード移行部４２０に出力する。さらに、第２抽選部４１０は、第２決定部４１３で決定処理された後に、第２決定部４１３での決定に用いられた確変状態用判定テーブル４１４を示す信号を出力する。
【０２０１】
モード特定部４３０は、第１抽選部４００からの特定遊技状態用判定テーブル４０４（通常状態）を示す信号および第２抽選部４１０からの確変状態用判定テーブル４１４（所定の確率で確変状態当選）を示す信号が入力され、これらの信号とモード判定用テーブル４３１とに基づいて、現モードが特定され、モード移行部４２０に現モードを示す信号を出力する。
【０２０２】
モード移行部４２０には、第２抽選部４１０からの第２乱数信号（第２乱数「３０」を示す）とモード特定部４３０で特定された現モード（モード１）を示す信号が入力され、また、モード移行テーブル４２２に基づいて、移行モード決定部４２１で次に移行するモードが決定される。この場合、モード２移行することが決定されることになる。
【０２０３】
さらに、移行モード決定部４２１で決定されたモード（モード２）に基づいて、特定遊技状態確率指示部４２３により第１抽選部４００の複数個の特定遊技状態用判定テーブル４０４のうち、確変状態（高確率）の特定遊技状態用判定テーブル４０４を用いて第１抽選部４００で抽選を行うように指示され、確変確率指示部４２４により第２抽選部４１０の複数個の確変状態用判定テーブル４１４のうち、所定の確率よりも高い確率で確変状態当選とするための確変状態用判定テーブル４１４を用いて第２抽選部４１０で抽選を行うように指示する。
【０２０４】
なお、第１抽選部４００での決定結果が特定遊技状態ではない場合は、モード特定部４３０に特定遊技状態用判定テーブル４０４を示す信号は入力されず、モード移行部４２０に現モードを示す信号は出力されず、さらにモード移行部４２０では、モード移行はされない。
【０２０５】
したがって、上述したような流れで主制御装置のモード移行部４２０で現在のモードが次のモードに移行し、第１抽選部４００での抽選において、特定遊技状態が発生する確率がそれぞれ異なり、第２抽選部４１０での抽選において、確変状態に当選する当選確率がそれぞれ異なるようになる。
【０２０６】
続いて、主制御装置の第２抽選部４１０での確変状態当選確率を高めた状態であることが第１図柄表示装置４２で表示されることについて、図２０および図２４を用いて説明する。図２４（ａ）は、第２抽選部４１０での確変状態当選確率を高めていない状態を示す図である。図２４（ｂ）は、第２抽選部４１０での確変状態当選確率を高めた状態を示す図である。
【０２０７】
図２０に示すように、特別遊技状態（大当たり状態）が発生し、この特別遊技状態が終了した後に、表示制御装置４５の一覧表示制御部４４２は、第２抽選部４１０からの確変状態に当選する当選確率を示す信号の入力に基づいて、識別情報変化表示制御部４４１で通常用第１図柄が確変用第１図柄に変化されたものも含めた、確変用第１図柄と特別確変用第１図柄を一覧表示するように、第１図柄表示装置４２を制御する。
【０２０８】
つまり、第２抽選部４１０からの確変状態に当選する当選確率を示す信号が、所定の確率で確変状態当選（例えば、確変確率５／１０）である場合は、図２４（ａ）に示すように、第１図柄表示装置４２の画面の全領域を使用して、確変用第１図柄である「１」，「３」，「５」，「９」の図柄（数字）部分を四角で囲ったものと、特別確変用第１図柄である「７」の図柄（数字）部分を三角で囲ったものとが一覧表示される。また、第２抽選部４１０からの確変状態に当選する当選確率を示す信号が、所定の確率よりも高い確率で確変状態当選（例えば、確変確率８／１０）である場合は、図２４（ｂ）に示すように、識別情報変化表示制御部４４１で通常用第１図柄が確変用第１図柄に変化された「２」，「６」，「８」を含めた確変用第１図柄である「１」，「２」，「３」，「５」，「６」，「８」，「９」の図柄（数字）部分を四角で囲ったものと、特別確変用第１図柄である「７」の図柄（数字）部分を三角で囲ったものとが一覧表示される。
【０２０９】
上述したように本実施例によれば、遊技球の入球または通過を検出する第１作動口スイッチ２２４と、第１作動口スイッチ２２４で遊技球が検出されたことに基づいて、多くの賞球を得ることができる特定遊技状態が発生するか否かを抽選する第１抽選部４００と、第１作動口スイッチ２２４で遊技球が検出されたことに基づいて、所定の確率で特定遊技状態が発生する通常状態と、当該通常状態よりも特定遊技状態が発生する確率が高い確変状態とのいずれかの状態とするかを抽選する第２抽選部４１０と、第２抽選部４１０での抽選についての当落を判定するために用いられるものであって、確変状態に当選する当選確率がそれぞれ異なるように設けられた複数個の確変状態用判定テーブル４１４と、複数個の確変状態用判定テーブル４１４のうち、いずれか一つを用いて第２抽選部４１０で抽選を行うように指示する確変確率指示部４２４とを備えているので、確変確率指示部４２４の指示により、第２抽選部４１０で確変状態が当選する当選確率が替わり、例えば、確変状態に当選する当選確率が高くなった場合は、結果として特定遊技状態が発生する確率が高くなる確変状態となることが多くなり、遊技者が得ることができる利益が多くなる。つまり、第２抽選部４１０で確変状態が当選する当選確率を替えることにより、遊技者が得ることができる利益が変わることになる。その結果、遊技をより面白く感じることができ、遊技の興趣性を向上させることができる。
【０２１０】
また、第２抽選部４１０は、通常状態と確変状態とのいずれかの状態を抽選するための第２乱数を発生させる第２乱数発生部４１１と、第１作動口スイッチ２２４で遊技球が検出されたことに基づいて、第２乱数発生部４１１で発生させた第２乱数のうちの一の第２乱数を記憶する第２乱数記憶部４１２と第２乱数記憶部４１２に記憶された第２乱数と確変確率指示部４２４の指示で選択された確変状態用判定テーブル４１４とに基づいて通常状態と確変状態とのいずれかの状態とするのかを決定する第２決定部４１３とを備えているので、第２決定部４１３は、第２乱数と確変確率指示部４２４の指示で選択された確変状態用判定テーブル４１４とに基づいて通常状態と確変状態とのいずれかを決定することができるので、単に第２乱数の値だけで決定されるものでなく、確変確率指示部４２４の指示で選択された確変状態用判定テーブル４１４に基づいた決定をすることができ、第２抽選部４１０は、通常状態と確変状態とのいずれかとすることを決定する。つまり、第２抽選部４１０を好適に実現できる。
【０２１１】
また、第１抽選部４００は、当該第１抽選部４００で特定遊技状態が発生する確率がそれぞれ異なるように設けられた複数個の特定遊技状態用判定テーブル４０４を備え、複数個の特定遊技状態用判定テーブル４０４のうち、いずれか一つを用いて第１抽選部４００で抽選を行うように指示する特定遊技状態確率指示部４２３を備えているので、特定遊技状態確率指示部４２３の指示により、第１抽選部４００で特定遊技状態が発生する確率が替わり、例えば、特定遊技状態が発生する確率が高くなった場合は、結果として特定遊技状態が発生することが多くなり、遊技者が得ることができる利益が多くなる。つまり、第１抽選部４００で特定遊技状態が発生する確率を替えることにより、遊技者が得ることができる利益が変わることになる。その結果、遊技をより面白く感じることができ、遊技の興趣性を向上させることができる。
【０２１２】
また、第１抽選部４００での抽選結果である特定遊技状態が発生するか否かと、第２抽選部４１０の抽選結果である通常状態と確変状態とのいずれかの状態とするかを、発光ダイオード４３３ａ，４３３ｂの点灯または消灯により表示する発光表示部４３４を備えているので、発光ダイオード４３３ａ，４３３ｂの点灯または消灯により、第１抽選部４００での抽選結果および第２抽選部４１０の抽選結果を容易に認識することができる。
【０２１３】
また、第１抽選部４００での抽選が通常状態で行われ、かつ、第２抽選部４１０での抽選が所定の確率で確変状態当選となる状態である第１モードと、第１抽選部４００での抽選が確変状態で行われ、かつ、第２抽選部４１０での抽選が第１モードよりも高い確率で確変状態当選となる状態である第２モードと、第１抽選部４００での抽選が確変状態で行われ、かつ、第２抽選部４１０での抽選が第２モードよりも低い確率で確変状態当選となる状態である第３モードと、を判別するためのモード判定用テーブル４３１と、各モードのうちで現状のモードを特定するモード特定部４３０と、第２抽選部４１０での抽選に用いる情報と、モード特定部４３０で特定された現状のモードとに基づいて、次のモードに移行するモード移行部４２０と、を備えているので、第２抽選部４１０での確変状態当選確率や第１抽選部４００での当選確率が異なる各モードのうちの一のモードに移行でき、当該遊技機の状態についてのバリエーションをさらに増加させることができ、遊技の興趣性をさらに向上させることができる。
【０２１４】
また、モード移行部４２０は、第２抽選部４１０での抽選に用いる情報と、モード特定部４３０で特定された現状のモードとから次のモードに移行するモードが決められたモード移行テーブル４２２と、第２抽選部４１０での抽選に用いる情報と、モード特定部４３０で特定された現状のモードとモード移行テーブル４２２に基づいて、次に移行するモードが決定される移行モード決定部４２１と、を備えているので、第２抽選部４１０での確変状態当選確率や第１抽選部４００での当選確率がモード移行テーブル４２２に基づいて、異なる各モードのうちの一のモードに移行でき、当該遊技機の状態についてのバリエーションをさらに増加させることができ、遊技の興趣性をさらに向上させることができる。
【０２１５】
また、第２抽選部４１０での抽選に用いる情報は、通常状態と確変状態とのいずれかの状態を抽選するための第２乱数である。
【０２１６】
また、識別情報の変動表示を行う第１図柄表示装置４２と、第２抽選部４１０での確変状態当選確率を高めた状態であることを、第１図柄表示装置４２を用いて示唆する確変当選確率上昇示唆部４４０を備えているので、遊技者は、第２抽選部４１０での確変状態当選確率を高めた状態であることが第１図柄表示装置４２に示唆されたことを見ることで、第２抽選部４１０での確変状態当選確率を高めた状態であることを知ることができ、遊技者は、第２抽選に当選して特定遊技状態になるという期待感をもって第２抽選部４１０での抽選についての表示を見ることができ、遊技の興趣性を向上させることができる。
【０２１７】
また、識別情報としては、通常用第１図柄（通常用識別情報）と確変用第１図柄（確変用識別情報）と特別確変用第１図柄（特別確変用識別情報）を備えており、第１図柄表示装置４２での変動表示結果が特別確変用第１図柄で揃うと第２抽選部４１０での当選確率を高めた状態となり、第１図柄表示装置４２での変動表示結果が通常用第１図柄または確変用第１図柄で揃うと第２抽選部４１０での当選確率を高めていない状態となり、確変当選確率上昇示唆部４４０は、第１図柄表示装置４２での変動表示結果が特別確変用第１図柄で揃うと、第１図柄表示装置４２での識別情報の変動表示演出中に表示される複数個の通常用第１図柄のうちの所定の通常用第１図柄を、確変用第１図柄に変化させる識別情報変化表示制御部４４１を備えているので、第１図柄表示装置４２での変動表示結果が特別確変用第１図柄で揃うと、遊技者は、通常用第１図柄の表示態様が確変用第１図柄の表示態様に変化している、つまり、確変用第１図柄が増加していること見ることで、第２抽選での当選確率を高めた状態であることを知ることができ、しかも確変用第１図柄の増加によって確変用第１図柄で揃うことをより期待でき、面白味を感じることができ、遊技者は、第２抽選に当選して特定遊技状態になるという期待感をもって第２抽選部４１０での抽選の表示を見ることができ、遊技の興趣性を向上させることができる。
【０２１８】
また、確変当選確率上昇示唆部４４０は、識別情報変化表示制御部４４１で確変用第１図柄に変化されたものも含めて、確変用第１図柄および特別確変用第１図柄を一覧表示する一覧表示制御部４４２を備えているので、遊技者は、現在の確変用第１図柄と特別確変用第１図柄が如何なるものかが一目でわかるし、確変用第１図柄が増加していることがわかり易い。
【実施例２】
【０２１９】
次に、実施例２のパチンコ機１０について図２５を用いて説明する。図２５は、実施例２の主制御装置２６１や表示制御装置４５などの構成を示すブロック図である。前述の実施例１のパチンコ機１０の確変当選確率上昇示唆部４４０は、識別情報変化表示制御部４４１で第１確変用図柄（確変用識別情報）に変化されたものも含めて、確変用第１図柄を一覧表示するようにしているものとしているが、本実施例２のパチンコ機１０は、第１通常用図柄をそれが表示されている状態で確変用第１図柄に変化させる機能を備えている点が前述の実施例１のパチンコ機１０と異なっている。
【０２２０】
実施例２のパチンコ機１０の識別情報変化表示制御部４４１は、図２５に示すように、第１図柄表示装置４２で所定の第１図柄（この場合、特別確変用第１図柄）で揃った場合（大当たりの場合）の変動表示結果時である第１図柄が大当たり停止表示された状態にその画面内に表示されている通常用第１図柄を特定する特定部４４３と、この特定部４４３で特定された通常用第１図柄の中から所定の通常用第１図柄を選択する選択部４４４と、この選択部４４４で選択された通常用第１図柄をそれが表示されている状態で確変用第１図柄に変化させる表示中変化表示制御部４４５と、を備えている。
【０２２１】
なお、上述した特定部４４３が本発明における特定手段に相当し、上述した選択部４４４が本発明における選択手段に相当し、上述した表示中変化表示制御部４４５が本発明における表示中変化表示制御手段に相当する。
【０２２２】
続いて、本実施例２のパチンコ機１０における第１図柄が大当たり停止表示された状態での所定の通常用第１図柄を確変用第１図柄に変化させることについて、図２３，図２６を用いて説明する。図２６（ａ）は、大当たり停止表示された状態での通常用第１図柄，確変用第１図柄，特別確変用第１図柄を示す図であり、図２６（ｂ）は、図２６（ａ）での所定の通常用第１図柄を確変用第１図柄に変化させることを示す図である。
【０２２３】
図２３に示すように、第１図柄としては、通常用第１図柄，確変用第１図柄，特別確変用第１図柄がある。図２６（ａ）に示すように、第１図柄表示装置４２にラインＬ１で特別確変用第１図柄（図２６（ａ）では「７」の特別確変用第１図柄）が揃った大当たり停止表示された状態となったとする。識別情報変化表示制御部４４１は、図２６（ａ）に示した大当たり停止表示状態での所定の通常用第１図柄である下図柄列Ｄの通常用第１図柄（図２６（ａ）では番号「６」の通常用第１図柄）を、図２６（ｂ）に示すように、確変用第１図柄に変化させる。
【０２２４】
具体的には、特定部４４３は、第１図柄表示装置４２で所定の第１図柄で揃った場合（大当たりの場合）の変動表示結果時にその画面内に表示されている通常用第１図柄を特定する。選択部４４４は、特定部４４３で特定された通常用第１図柄の中から所定の通常用第１図柄を選択する。表示中変化表示制御部４４５は、選択部４４４で選択された通常用第１図柄をそれが表示されている状態で確変用第１図柄に変化させる。
【０２２５】
上述したように実施例２のパチンコ機１０によれば、識別情報変化表示制御部４４１は、第１図柄表示装置４２で所定の第１図柄で揃った場合（大当たりの場合）の変動表示結果時にその画面内に表示されている通常用第１図柄を特定する特定部４４３と、この特定で特定された通常用第１図柄の中から所定の通常用第１図柄を選択する選択部４４４と、この選択部４４４で選択された通常用第１図柄をそれが表示されている状態で確変用第１図柄に変化させる表示中変化表示制御部４４５と、を備えているので、遊技者は、変動表示結果時の第１図柄表示装置４２の表示画面を注目しているので、変動表示結果時の第１図柄表示装置４２の表示画面内に表示されている所定の通常用第１図柄が確変用第１図柄に変化することを見逃すことなく見ることができる。つまり、どの通常用第１図柄が確変用第１図柄に変化したかを判り易く知らせることができる。
【０２２６】
この発明は、上記実施形態に限られることはなく、下記のように変形実施することができる。
【０２２７】
（１）上述した第１実施例では、複数個の特定遊技状態用判定テーブル４０４を、例えば２個としたがそれ以外の複数個の特定遊技状態用判定テーブル４０４を備えるようにしてもよく、また、通常状態（低確率）の大当たり確率を１／３３８．５、確変状態（高確率）の大当たり確率を１／６７．７としたが、通常状態（低確率）および確変状態（高確率）の大当たり確率をそれ以外の値に設定してもよい。
【０２２８】
（２）上述した第１実施例では、複数個の確変状態用判定テーブル４１４を、例えば２個としたがそれ以外の複数個の特定遊技状態用判定テーブル４０４を備えるようにしてもよく、また、所定の確率で確変状態当選する確変確率を５／１０とし、所定の確率よりも高い確率で確変状態当選とする確変確率を８／１０としたが、これら以外の確変確率とするようにしてもよい。
【０２２９】
（３）上述した各実施例では、第１図柄表示装置４２で変動表示される第１図柄（識別情報）としては、通常用第１図柄（通常用識別情報）と確変用第１図柄（確変用識別情報）と特別確変用第１図柄（特別確変用識別情報）の３種類の第１図柄（識別情報）は、数字部分を例えば丸，四角，三角で囲った形態のものとしていたが、図柄の色を変化させて、第１図柄の種類を区別できるようにしてもよい。
【０２３０】
（４）上述した第１実施例では、第１抽選部４００での抽選結果である特定遊技状態が発生するか否かと、第２抽選部４１０の抽選結果である通常状態と確変状態とのいずれかの状態とするかを、発光ダイオード４３３ａ，４３３ｂの点灯または消灯により表示するようにしていたが、発光ダイオード４３３ａ，４３３ｂで点灯させる色を異なるようにして表示するようにしてもよい。また、発光ダイオード以外のランプなどの発光手段で発光させるようにしてもよい。
【０２３１】
（５）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。
【産業上の利用可能性】
【０２３２】
以上のように、この発明は、パチンコ機やスロットマシン等の遊技機に適している。
【符号の説明】
【０２３３】
４２  …  第１図柄表示装置（識別情報変動表示手段）
２２４  …  第１作動口スイッチ（遊技球検出手段）
４００  …  第１抽選部（第１抽選手段）
４０４  …  特定遊技状態用判定テーブル
４１０  …  第２抽選部（第２抽選手段）
４１１  …  第２乱数発生部（第２乱数発生手段）
４１２  …  第２乱数記憶部（第２乱数記憶手段）
４１３  …  第２決定部（第２決定手段）
４１４  …  確変状態用判定テーブル
４２０  …  モード移行部（モード移行手段）
４２１  …  移行モード決定部（移行モード決定手段）
４２２  …  モード移行テーブル
４２３  …  特定遊技状態確率指示部（特定遊技状態確率指示手段）
４２４  …  確変確率指示部（確変確率指示手段）
４３０  …  モード特定部（モード特定手段）
４３１  …  モード判定用テーブル
４３３ａ，４３３ｂ  …  発光ダイオード（発光手段）
４３４  …  発光表示部（発光表示手段）
４４０  …  確変当選確率上昇示唆部（確変当選確率上昇示唆手段）
４４１  …  識別情報変化表示制御部（識別情報変化表示制御手段）
４４２  …  一覧表示制御部（一覧表示制御手段）
４４３  …  特定部（特定手段）
４４４  …  選択部（選択手段）
４４５  …  表示中変化表示制御部（表示中変化表示制御手段）
【図１】
2010279820.tif 000003
【図２】
2010279820.tif 000004
【図３】
2010279820.tif 000005
【図４】
2010279820.tif 000006
【図５】
2010279820.tif 000007
【図６】
2010279820.tif 000008
【図７】
2010279820.tif 000009
【図８】
2010279820.tif 000010
【図９】
2010279820.tif 000011
【図１０】
2010279820.tif 000012
【図１１】
2010279820.tif 000013
【図１２】
2010279820.tif 000014
【図１３】
2010279820.tif 000015
【図１４】
2010279820.tif 000016
【図１５】
2010279820.tif 000017
【図１６】
2010279820.tif 000018
【図１７】
2010279820.tif 000019
【図１８】
2010279820.tif 000020
【図１９】
2010279820.tif 000021
【図２０】
2010279820.tif 000022
【図２１】
2010279820.tif 000023
【図２２】
2010279820.tif 000024
【図２３】
2010279820.tif 000025
【図２４】
2010279820.tif 000026
【図２５】
2010279820.tif 000027
【図２６】
2010279820.tif 000028